(57)【要約】      （修正有）【課題】アンライセンススペクトルにおいてＵＬチャネルアクセスを向上させる無線通信技術を提供する。【解決手段】無線デバイスおける方法は、無線デバイスによる自律アップリンク送信に対する信号送信設定に関連している情報を取得すること１００４を含む。情報は、無線デバイスとネットワークノードとの間で確立される少なくとも１つのセル上で自律アップリンク送信を行い、かつ、アンライセンススペクトルにおいて動作する際に無線デバイスによって使用される事前割り当てリソースのセットを含み、さらに、自律アップリンク送信を行う時に無線デバイスによって回避されるべきである１つまたは複数のサブフレームについての情報を含む、さらに、信号送信設定に関連している取得された情報に従って自律アップリンク送信を行う１００８ことを含む。【選択図】図１０
2020205605.tif 000002
【特許請求の範囲】
【請求項１】
無線デバイス（１１０）における方法であって、
前記無線デバイスによる自律アップリンク送信に対する信号送信設定に関連している情報を取得すること（１００４）であって、前記情報は、
前記無線デバイスとネットワークノード（１１５）との間で確立される少なくとも１つのセカンダリセル上で自律アップリンク送信を行う際に前記無線デバイスによって使用される事前割り当てリソースのセット、および
前記事前割り当てリソースのセットと関連付けられた周期性を含む、取得することと、
前記信号送信設定に関連している取得された前記情報に従って自律アップリンク送信を行うこと（１００８）と、を含む、方法。
【請求項２】
前記無線デバイスによる自律アップリンク送信に対する前記信号送信設定に関連している前記情報は、自律アップリンク送信を行う時に前記無線デバイスによって回避されるべきである１つまたは複数のサブフレームについての情報をさらに含む、請求項１に記載の方法。
【請求項３】
自律アップリンク送信を行う時に前記無線デバイスによって回避されるべきである１つまたは複数のサブフレームについての前記情報は、
前記ネットワークノードが発見参照信号を送信するために使用し、かつ前記無線デバイスが回避するべきであるサブフレームの指示、および、
前記ネットワークノードが前記発見参照信号を送信するために使用し、かつ前記無線デバイスが回避するべきである前記サブフレームの直前のサブフレームの指示のうちの１つまたは複数を含む、請求項２に記載の方法。
【請求項４】
自律アップリンク送信を行う時に前記無線デバイスによって回避されるべきである１つまたは複数のサブフレームについての前記情報は、
発見参照信号測定タイミング設定ウィンドウ内であり、前記無線デバイスが回避するべきである全てのサブフレームの指示、
前記発見参照信号測定タイミング設定ウィンドウ直前であり、前記無線デバイスが回避するべきであるサブフレームの指示、ならびに、
前記無線デバイスが発見参照信号を受信するまでの、前記発見参照信号測定タイミング設定ウィンドウ内の前記サブフレーム、および、前記発見参照信号測定タイミング設定ウィンドウ直前であり、かつ無線デバイスが回避するべきである前記サブフレームの指示のうちの１つまたは複数を含む、請求項２または３に記載の方法。
【請求項５】
自律アップリンク送信を行う時に前記無線デバイスによって回避されるべきである１つまたは複数のサブフレームについての前記情報は、
測定ギャップとして設定され、かつ前記無線デバイスが回避するべきである１つまたは複数のサブフレームの指示を含む、請求項２から４のいずれか一項に記載の方法。
【請求項６】
自律アップリンク送信を行う時に前記無線デバイスによって回避されるべきである１つまたは複数のサブフレームについての前記情報は、
前記無線デバイスにリソースを割り当てるために２ステージグラントが前記ネットワークノードによって使用される時に、第１のトリガおよび第２のトリガの受信の間であり、前記無線デバイスが回避するべきである１つまたは複数のサブフレームの指示を含む、請求項２から５のいずれか一項に記載の方法。
【請求項７】
前記無線デバイスによる自律アップリンク送信に対する信号送信設定に関連している情報を取得することは、
前記無線デバイスによる自律アップリンク送信に適用可能なサブフレームパターンの指示を受信することを含む、請求項１から６のいずれか一項に記載の方法。
【請求項８】
前記サブフレームパターンの前記指示はビットマップである、請求項７に記載の方法。
【請求項９】
前記無線デバイスによる自律アップリンク送信に対する前記信号送信設定に関連している前記情報は、
次の許可送信期間の前に前記無線デバイスによって使用される検知継続時間の長さを判断するためのオフセット値、および
循環周期性のうちの１つまたは複数を含む、請求項１から８のいずれか一項に記載の方法。
【請求項１０】
共通物理ダウンリンク制御チャネル、および
上位層シグナリングのうちの１つまたは複数によって、前記オフセット値および前記循環周期性のうちの少なくとも１つを受信することを含む、請求項９に記載の方法。
【請求項１１】
前記オフセット値は、自律アップリンク送信を行うための前記無線デバイスの優先レベルに対応する、請求項９に記載の方法。
【請求項１２】
前記無線デバイスが自律アップリンク送信を非アクティブ化するべきであることの指示を受信することを含む、請求項１から１１のいずれか一項に記載の方法。
【請求項１３】
前記無線デバイスが自律アップリンク送信をアクティブ化するべきであることの指示を受信することを含む、請求項１から１２のいずれか一項に記載の方法。
【請求項１４】
前記無線デバイスが自律アップリンク送信を非アクティブ化するべきであることの前記指示、および前記無線デバイスが自律アップリンク送信をアクティブ化するべきであることの前記指示のうちの１つまたは複数は、
ブロードキャストタイプの制御シグナリング、および
専用制御シグナリングのうちの１つまたは複数にわたって受信される、請求項１２または１３に記載の方法。
【請求項１５】
前記無線デバイスと前記ネットワークノードとの間で確立される少なくとも１つの前記セカンダリセルはアンライセンススペクトルにおけるものである、請求項１から１４のいずれか一項に記載の方法。
【請求項１６】
ネットワークノード（１１５）における方法であって、
無線デバイス（１１０）による自律アップリンク送信に対する信号送信設定に関連している情報を判断すること（１１０４）であって、前記情報は、
前記ネットワークノードと前記無線デバイスとの間で確立される少なくとも１つのセカンダリセル上で自律アップリンク送信を行う際に前記無線デバイスによって使用される事前割り当てリソースのセット、および
前記事前割り当てリソースのセットと関連付けられた周期性を含む、判断することと、
前記無線デバイスを、前記信号送信設定に関連している判断された前記情報に従って自律アップリンク送信を行うように設定すること（１１０８）と、を含む、方法。
【請求項１７】
前記無線デバイスによる自律アップリンク送信に対する前記信号送信設定に関連している前記情報は、自律アップリンク送信を行う時に前記無線デバイスによって回避されるべきである１つまたは複数のサブフレームについての情報をさらに含む、請求項１６に記載の方法。
【請求項１８】
自律アップリンク送信を行う時に前記無線デバイスによって回避されるべきである前記１つまたは複数のサブフレームは、
前記ネットワークノードが発見参照信号を送信するために使用するサブフレーム、および、
前記ネットワークノードが前記発見参照信号を送信するために使用する前記サブフレームの直前のサブフレームのうちの１つまたは複数を含む、請求項１７に記載の方法。
【請求項１９】
自律アップリンク送信を行う時に前記無線デバイスによって回避されるべきである前記１つまたは複数のサブフレームは、
発見参照信号測定タイミング設定ウィンドウ内の全てのサブフレーム、
前記発見参照信号測定タイミング設定ウィンドウ直前のサブフレーム、ならびに、
前記無線デバイスが発見参照信号を受信するまでの、前記発見参照信号測定タイミング設定ウィンドウ内の前記サブフレーム、および前記発見参照信号測定タイミング設定ウィンドウ直前の前記サブフレームのうちの１つまたは複数を含む、請求項１７または１８に記載の方法。
【請求項２０】
自律アップリンク送信を行う時に前記無線デバイスによって回避されるべきである前記１つまたは複数のサブフレームは、
測定ギャップとして設定される１つまたは複数のサブフレームを含む、請求項１７から１９のいずれか一項に記載の方法。
【請求項２１】
自律アップリンク送信を行う時に前記無線デバイスによって回避されるべきである前記１つまたは複数のサブフレームは、
前記無線デバイスにリソースを割り当てるために２ステージグラントが前記ネットワークノードによって使用される時に第１のトリガおよび第２のトリガの受信の間の１つまたは複数のサブフレームを含む、請求項１７から２０のいずれか一項に記載の方法。
【請求項２２】
前記無線デバイスを、前記信号送信設定に関連している判断された前記情報に従って自律アップリンク送信を行うように設定することは、
前記信号送信設定に関連している前記判断された情報を前記無線デバイスに送ること（９０２）を含む、請求項１６から２１のいずれか一項に記載の方法。
【請求項２３】
前記無線デバイスが、前記信号送信設定に関連している前記判断された情報に従って自律アップリンク送信を行うように設定することは、
前記無線デバイスによる自律アップリンク送信に適用可能なサブフレームパターンの指示を送ることを含む、請求項１６から２２のいずれか一項に記載の方法。
【請求項２４】
前記サブフレームパターンの前記指示はビットマップである、請求項２３に記載の方法。
【請求項２５】
前記無線デバイスによる自律アップリンク送信に対する前記信号送信設定に関連している前記情報は、
次の許可送信期間の前に前記無線デバイスによって使用される検知継続時間の長さを判断するためのオフセット値、および
循環周期性のうちの１つまたは複数を含む、請求項１６から２４のいずれか一項に記載の方法。
【請求項２６】
共通物理ダウンリンク制御チャネル、および
上位層シグナリングのうちの１つまたは複数によって、前記オフセット値および前記循環周期性のうちの少なくとも１つを前記無線デバイスに送ることを含む、請求項２５に記載の方法。
【請求項２７】
前記オフセット値は、自律アップリンク送信を行うための前記無線デバイスの優先レベルに対応する、請求項２５に記載の方法。
【請求項２８】
１つまたは複数の基準に基づいて、前記無線デバイスが自律アップリンク送信を非アクティブ化し、かつスケジュールベースアクセスに切り換えるべきであることを判断することと、
前記無線デバイスが自律アップリンク送信を非アクティブ化するべきであることの指示を前記無線デバイスに送ることと、を含む、請求項１６から２７のいずれか一項に記載の方法。
【請求項２９】
前記１つまたは複数の基準は、
前記ネットワークノードにおけるバッファステータス、
トラフィックタイプ、
バッファ増強、
前記チャネルの清浄度、
空ではないＵＬバッファを有するＵＥの数、
１つまたは複数の無線デバイスに対するＮＡＣＫ対ＡＣＫの比率、および
複数の無線デバイスがチャネルに同時にアクセスしようとする場合の前記チャネルに対する衝突数のうちの１つまたは複数を含む、請求項２８に記載の方法。
【請求項３０】
前記無線デバイスがスケジュールベースアクセスから自律アップリンク送信に切り換えるべきであることを判断することと、
前記無線デバイスが自律アップリンク送信をアクティブ化するべきであることの指示を前記無線デバイスに送ることと、を含む、請求項２８または２９に記載の方法。
【請求項３１】
前記無線デバイスが自律アップリンク送信を非アクティブ化するべきであることの前記指示、および前記無線デバイスが自律アップリンク送信をアクティブ化するべきであることの前記指示のうちの１つまたは複数は、
ブロードキャストタイプの制御シグナリング、および
専用制御シグナリングのうちの１つまたは複数を使用して送られる、請求項２８から３０のいずれか一項に記載の方法。
【請求項３２】
前記ネットワークノードと前記無線デバイスとの間で確立される前記少なくとも１つのセカンダリセルはアンライセンススペクトルにおけるものである、請求項１６から３１のいずれか一項に記載の方法。
【請求項３３】
無線デバイス（１１０）であって、
前記無線デバイスによる自律アップリンク送信に対する信号送信設定に関連している情報であって、
前記無線デバイスとネットワークノード（１１５）との間で確立される少なくとも１つのセカンダリセル上で自律アップリンク送信を行う際に前記無線デバイスによって使用される事前割り当てリソースのセット、および
前記事前割り当てリソースのセットと関連付けられた周期性を含む、情報を取得する（１００４）ように、ならびに
前記信号送信設定に関連している取得された前記情報に従って自律アップリンク送信を行う（１００８）ように設定される、処理回路構成（１２２０）を含む、無線デバイス。
【請求項３４】
前記無線デバイスによる自律アップリンク送信に対する前記信号送信設定に関連している前記情報は、自律アップリンク送信を行う時に前記無線デバイスによって回避されるべきである１つまたは複数のサブフレームについての情報をさらに含む、請求項３３に記載の無線デバイス。
【請求項３５】
自律アップリンク送信を行う時に前記無線デバイスによって回避されるべきである１つまたは複数のサブフレームについての前記情報は、
前記ネットワークノードが発見参照信号を送信するために使用し、かつ前記無線デバイスが回避するべきであるサブフレームの指示、および、
前記ネットワークノードが前記発見参照信号を送信するために使用し、かつ前記無線デバイスが回避するべきである前記サブフレームの直前のサブフレームの指示のうちの１つまたは複数を含む、請求項３４に記載の無線デバイス。
【請求項３６】
自律アップリンク送信を行う時に前記無線デバイスによって回避されるべきである１つまたは複数のサブフレームについての前記情報は、
発見参照信号測定タイミング設定ウィンドウ内であり、前記無線デバイスが回避するべきである全てのサブフレームの指示、
前記発見参照信号測定タイミング設定ウィンドウ直前であり、前記無線デバイスが回避するべきであるサブフレームの指示、および、前記発見参照信号測定タイミング設定ウィンドウ内の前記サブフレーム、ならびに、
前記無線デバイスが発見参照信号を受信するまでの、前記発見参照信号測定タイミング設定ウィンドウ直前であり、かつ無線デバイスが回避するべきである前記サブフレームの指示のうちの１つまたは複数を含む、請求項３４または３５に記載の無線デバイス。
【請求項３７】
自律アップリンク送信を行う時に前記無線デバイスによって回避されるべきである１つまたは複数のサブフレームについての前記情報は、
測定ギャップとして設定され、かつ前記無線デバイスが回避するべきである１つまたは複数のサブフレームの指示を含む、請求項３４から３６のいずれか一項に記載の無線デバイス。
【請求項３８】
自律アップリンク送信を行う時に前記無線デバイスによって回避されるべきである１つまたは複数のサブフレームについての前記情報は、
前記無線デバイスにリソースを割り当てるために２ステージグラントが前記ネットワークノードによって使用される時に、第１のトリガおよび第２のトリガの受信の間であり、前記無線デバイスが回避するべきである１つまたは複数のサブフレームの指示を含む、請求項３４から３７のいずれか一項に記載の無線デバイス。
【請求項３９】
前記無線デバイスによる自律アップリンク送信に対する前記信号送信設定に関連している情報を取得するように設定される前記処理回路構成は、
前記無線デバイスによる自律アップリンク送信に適用可能なサブフレームパターンの指示を受信するように設定される処理回路構成を含む、請求項３３から３８のいずれか一項に記載の無線デバイス。
【請求項４０】
前記サブフレームパターンの前記指示はビットマップである、請求項３９に記載の無線デバイス。
【請求項４１】
前記無線デバイスによる自律アップリンク送信に対する前記信号送信設定に関連している前記情報は、
次の許可送信期間の前に前記無線デバイスによって使用される検知継続時間の長さを判断するためのオフセット値、および
循環周期性のうちの１つまたは複数を含む、請求項３３から４０のいずれか一項に記載の無線デバイス。
【請求項４２】
前記処理回路構成は、
共通物理ダウンリンク制御チャネル、および
上位層シグナリングのうちの１つまたは複数によって、前記オフセット値および前記循環周期性のうちの少なくとも１つを受信するように設定される、請求項４１に記載の無線デバイス。
【請求項４３】
前記オフセット値は、自律アップリンク送信を行うための前記無線デバイスの優先レベルに対応する、請求項４１に記載の無線デバイス。
【請求項４４】
前記処理回路構成は、前記無線デバイスが自律アップリンク送信を非アクティブ化するべきであることの指示を受信するように設定される、請求項３３から４３のいずれか一項に記載の無線デバイス。
【請求項４５】
前記処理回路構成は、前記無線デバイスが自律アップリンク送信をアクティブ化するべきであることの指示を受信するように設定される、請求項３３から４４のいずれか一項に記載の無線デバイス。
【請求項４６】
前記処理回路構成は、前記無線デバイスが自律アップリンク送信を非アクティブ化するべきであることの前記指示、および前記無線デバイスが自律アップリンク送信をアクティブ化するべきであることの前記指示のうちの１つまたは複数を、
ブロードキャストタイプの制御シグナリング、および
専用制御シグナリングのうちの１つまたは複数にわたって受信するように設定される、請求項４４または４５に記載の無線デバイス。
【請求項４７】
前記無線デバイスと前記ネットワークノードとの間で確立される前記少なくとも１つのセカンダリセルはアンライセンススペクトルにおけるものである、請求項３３から４６のいずれか一項に記載の無線デバイス。
【請求項４８】
ネットワークノード（１１５）であって、
無線デバイス（１１０）による自律アップリンク送信に対する信号送信設定に関連している情報であって、
前記ネットワークノードと前記無線デバイスとの間で確立される少なくとも１つのセカンダリセル上で自律アップリンク送信を行う際に前記無線デバイスによって使用される事前割り当てリソースのセット、および
前記事前割り当てリソースのセットと関連付けられた周期性を含む、情報を判断する（１１０４）ように、ならびに
前記無線デバイスを、前記信号送信設定に関連している判断された前記情報に従って自律アップリンク送信を行うように設定する（１１０８）ように設定される処理回路構成（１３２０）を含む、ネットワークノード。
【請求項４９】
前記無線デバイスによる自律アップリンク送信に対する前記信号送信設定に関連している前記情報は、自律アップリンク送信を行う時に前記無線デバイスによって回避されるべきである１つまたは複数のサブフレームについての情報をさらに含む、請求項４８に記載のネットワークノード。
【請求項５０】
自律アップリンク送信を行う時に前記無線デバイスによって回避されるべきである前記１つまたは複数のサブフレームは、
前記ネットワークノードが発見参照信号を送信するために使用するサブフレーム、および、
前記ネットワークノードが前記発見参照信号を送信するために使用する前記サブフレームの直前のサブフレームのうちの１つまたは複数を含む、請求項４９に記載のネットワークノード。
【請求項５１】
自律アップリンク送信を行う時に前記無線デバイスによって回避されるべきである前記１つまたは複数のサブフレームは、
発見参照信号測定タイミング設定ウィンドウ内の全てのサブフレーム、
前記発見参照信号測定タイミング設定ウィンドウ直前のサブフレーム、ならびに、
前記無線デバイスが発見参照信号を受信するまでの、前記発見参照信号測定タイミング設定ウィンドウ内の前記サブフレーム、および前記発見参照信号測定タイミング設定ウィンドウ直前の前記サブフレームのうちの１つまたは複数を含む、請求項４９または５０に記載のネットワークノード。
【請求項５２】
自律アップリンク送信を行う時に前記無線デバイスによって回避されるべきである前記１つまたは複数のサブフレームは、
測定ギャップとして設定される１つまたは複数のサブフレームを含む、請求項４９から５１のいずれか一項に記載のネットワークノード。
【請求項５３】
自律アップリンク送信を行う時に前記無線デバイスによって回避されるべきである前記１つまたは複数のサブフレームは、
前記無線デバイスにリソースを割り当てるために２ステージグラントが前記ネットワークノードによって使用される時に第１のトリガおよび第２のトリガの受信の間の１つまたは複数のサブフレームを含む、請求項４９から５２のいずれか一項に記載のネットワークノード。
【請求項５４】
前記無線デバイスを、前記信号送信設定に関連している判断された前記情報に従って自律アップリンク送信を行うように設定するように設定される前記処理回路構成は、
前記信号送信設定に関連している前記判断された情報を前記無線デバイスに送る（９０２）ように設定される処理回路構成を含む、請求項４８から５３のいずれか一項に記載のネットワークノード。
【請求項５５】
前記無線デバイスが、前記信号送信設定に関連している前記判断された情報に従って自律アップリンク送信を行うように設定するように設定される前記処理回路構成は、
前記無線デバイスによる自律アップリンク送信に適用可能なサブフレームパターンの指示を送るように設定される処理回路構成を含む、請求項４８から５４のいずれか一項に記載のネットワークノード。
【請求項５６】
前記サブフレームパターンの前記指示はビットマップである、請求項５５に記載のネットワークノード。
【請求項５７】
前記無線デバイスによる自律アップリンク送信に対する前記信号送信設定に関連している前記情報は、
次の許可送信期間の前に前記無線デバイスによって使用される検知継続時間の長さを判断するためのオフセット値、および
循環周期性のうちの１つまたは複数を含む、請求項４８から５６のいずれか一項に記載のネットワークノード。
【請求項５８】
前記処理回路構成は、
共通物理ダウンリンク制御チャネル、および
上位層シグナリングのうちの１つまたは複数によって、前記オフセット値および前記循環周期性のうちの少なくとも１つを前記無線デバイスに送るように設定される、請求項５７に記載のネットワークノード。
【請求項５９】
前記オフセット値は、自律アップリンク送信を行うための前記無線デバイスの優先レベルに対応する、請求項５７に記載のネットワークノード。
【請求項６０】
前記処理回路構成は、
１つまたは複数の基準に基づいて、前記無線デバイスが自律アップリンク送信を非アクティブ化し、かつスケジュールベースアクセスに切り換えるべきであることを判断するように、および
前記無線デバイスが自律アップリンク送信を非アクティブ化するべきであることの指示を前記無線デバイスに送るように設定される、請求項４８から５９のいずれか一項に記載のネットワークノード。
【請求項６１】
前記１つまたは複数の基準は、
前記ネットワークノードにおけるバッファステータス、
トラフィックタイプ、
バッファ増強、
前記チャネルの清浄度、
空ではないＵＬバッファを有するＵＥの数、
１つまたは複数の無線デバイスに対するＮＡＣＫ対ＡＣＫの比率、および
複数の無線デバイスがチャネルに同時にアクセスしようとする場合の前記チャネルに対する衝突数のうちの１つまたは複数を含む、請求項６０に記載のネットワークノード。
【請求項６２】
前記処理回路構成は、
前記無線デバイスがスケジュールベースアクセスから自律アップリンク送信に切り換えるべきであることを判断するように、および
前記無線デバイスが自律アップリンク送信をアクティブ化するべきであることの指示を前記無線デバイスに送るように設定される、請求項６０または６１に記載のネットワークノード。
【請求項６３】
前記処理回路構成は、前記無線デバイスが自律アップリンク送信を非アクティブ化するべきであることの前記指示、および前記無線デバイスが自律アップリンク送信をアクティブ化するべきであることの前記指示のうちの１つまたは複数を、
ブロードキャストタイプの制御シグナリング、および
専用制御シグナリングのうちの１つまたは複数を使用して送るように設定される、請求項６０から６２のいずれか一項に記載のネットワークノード。
【請求項６４】
前記ネットワークノードと前記無線デバイスとの間で確立される前記少なくとも１つのセカンダリセルはアンライセンススペクトルにおけるものである、請求項４８から６３のいずれか一項に記載のネットワークノード。
【請求項６５】
無線デバイス（１１０）であって、
受信モジュール（１５３０）と、
前記無線デバイスによる自律アップリンク送信に対する信号送信設定に関連している情報を取得する（１００４）ように設定される、判断モジュール（１５１０）であって、前記情報は、
前記無線デバイスとネットワークノード（１１５）との間で確立される少なくとも１つのセカンダリセル上で自律アップリンク送信を行う際に前記無線デバイスによって使用される事前割り当てリソースのセット、および
前記事前割り当てリソースの前記セットと関連付けられた周期性を含む、判断モジュールと、
前記信号送信設定に関連している取得された前記情報に従って自律アップリンク送信を行う（１００８）ように設定される通信モジュール（１５２０）と、を含む、無線デバイス。
【請求項６６】
前記無線デバイスによる自律アップリンク送信に対する前記信号送信設定に関連している前記情報は、自律アップリンク送信を行う時に前記無線デバイスによって回避されるべきである１つまたは複数のサブフレームについての情報をさらに含む、請求項６５に記載の無線デバイス。
【請求項６７】
自律アップリンク送信を行う時に前記無線デバイスによって回避されるべきである１つまたは複数のサブフレームについての前記情報は、
前記ネットワークノードが発見参照信号を送信するために使用し、かつ前記無線デバイスが回避するべきであるサブフレームの指示、および、
前記ネットワークノードが前記発見参照信号を送信するために使用し、かつ前記無線デバイスが回避するべきである前記サブフレームの直前のサブフレームの指示のうちの１つまたは複数を含む、請求項６６に記載の無線デバイス。
【請求項６８】
自律アップリンク送信を行う時に前記無線デバイスによって回避されるべきである１つまたは複数のサブフレームについての前記情報は、
発見参照信号測定タイミング設定ウィンドウ内であり、前記無線デバイスが回避するべきである全てのサブフレームの指示、
前記発見参照信号測定タイミング設定ウィンドウ直前であり、前記無線デバイスが回避するべきであるサブフレームの指示、ならびに、
前記無線デバイスが発見参照信号を受信するまでの、前記発見参照信号測定タイミング設定ウィンドウ内の前記サブフレーム、および、前記発見参照信号測定タイミング設定ウィンドウ直前であり、かつ無線デバイスが回避するべきである前記サブフレームの指示のうちの１つまたは複数を含む、請求項６６または６７に記載の無線デバイス。
【請求項６９】
自律アップリンク送信を行う時に前記無線デバイスによって回避されるべきである１つまたは複数のサブフレームについての前記情報は、
測定ギャップとして設定され、かつ前記無線デバイスが回避するべきである１つまたは複数のサブフレームの指示を含む、請求項６６から６８のいずれか一項に記載の無線デバイス。
【請求項７０】
自律アップリンク送信を行う時に前記無線デバイスによって回避されるべきである１つまたは複数のサブフレームについての前記情報は、
前記無線デバイスにリソースを割り当てるために２ステージグラントが前記ネットワークノードによって使用される時に、第１のトリガおよび第２のトリガの受信の間であり、前記無線デバイスが回避するべきである１つまたは複数のサブフレームの指示を含む、請求項６６から６９のいずれか一項に記載の無線デバイス。
【請求項７１】
前記受信モジュールは、前記無線デバイスによる自律アップリンク送信に適用可能なサブフレームパターンの指示を受信するように設定される、請求項６５から７０のいずれか一項に記載の無線デバイス。
【請求項７２】
前記サブフレームパターンの前記指示はビットマップである、請求項７１に記載の無線デバイス。
【請求項７３】
前記無線デバイスによる自律アップリンク送信に対する前記信号送信設定に関連している前記情報は、
次の許可送信期間の前に前記無線デバイスによって使用される検知継続時間の長さを判断するためのオフセット値、および
循環周期性のうちの１つまたは複数を含む、請求項６５から７２のいずれか一項に記載の無線デバイス。
【請求項７４】
前記受信モジュールは、
共通物理ダウンリンク制御チャネル、および
上位層シグナリングのうちの１つまたは複数によって、前記オフセット値および前記循環周期性のうちの少なくとも１つを受信するように設定される、請求項７３に記載の無線デバイス。
【請求項７５】
前記オフセット値は、自律アップリンク送信を行うための前記無線デバイスの優先レベルに対応する、請求項７３に記載の無線デバイス。
【請求項７６】
前記受信モジュールは、前記無線デバイスが自律アップリンク送信を非アクティブ化するべきであることの指示を受信するように設定される、請求項６５から７５のいずれか一項に記載の無線デバイス。
【請求項７７】
前記受信モジュールは、前記無線デバイスが自律アップリンク送信をアクティブ化するべきであることの指示を受信するように設定される、請求項６５から７６のいずれか一項に記載の無線デバイス。
【請求項７８】
前記受信モジュールは、前記無線デバイスが自律アップリンク送信を非アクティブ化するべきであることの前記指示、および前記無線デバイスが自律アップリンク送信をアクティブ化するべきであることの前記指示のうちの１つまたは複数を、
ブロードキャストタイプの制御シグナリング、および
専用制御シグナリングのうちの１つまたは複数にわたって受信するように設定される、請求項７６または７７に記載の無線デバイス。
【請求項７９】
前記無線デバイスと前記ネットワークノードとの間で確立される前記少なくとも１つのセカンダリセルはアンライセンススペクトルにおけるものである、請求項６５から７８のいずれか一項に記載の無線デバイス。
【請求項８０】
ネットワークノード（１１５）であって、
通信モジュール（１６２０）と、
受信モジュール（１６３０）と、
無線デバイス（１１０）による自律アップリンク送信に対する信号送信設定に関連している情報であって、
前記ネットワークノードと前記無線デバイスとの間で確立される少なくとも１つのセカンダリセル上で自律アップリンク送信を行う際に前記無線デバイスによって使用される事前割り当てリソースのセット、および
前記事前割り当てリソースのセットと関連付けられた周期性を含む、情報を判断する（１１０４）ように、ならびに
前記無線デバイスを、前記信号送信設定に関連している判断された前記情報に従って自律アップリンク送信を行うように設定する（１１０８）ように設定される判断モジュール（１６１０）と、を含む、ネットワークノード。
【請求項８１】
前記無線デバイスによる自律アップリンク送信に対する前記信号送信設定に関連している前記情報は、自律アップリンク送信を行う時に前記無線デバイスによって回避されるべきである１つまたは複数のサブフレームについての情報をさらに含む、請求項８０に記載のネットワークノード。
【請求項８２】
自律アップリンク送信を行う時に前記無線デバイスによって回避されるべきである前記１つまたは複数のサブフレームは、
前記ネットワークノードが発見参照信号を送信するために使用するサブフレーム、および、
前記ネットワークノードが前記発見参照信号を送信するために使用する前記サブフレームの直前のサブフレームのうちの１つまたは複数を含む、請求項８１に記載のネットワークノード。
【請求項８３】
自律アップリンク送信を行う時に前記無線デバイスによって回避されるべきである前記１つまたは複数のサブフレームは、
発見参照信号測定タイミング設定ウィンドウ内の全てのサブフレーム、
前記発見参照信号測定タイミング設定ウィンドウ直前のサブフレーム、ならびに、
前記無線デバイスが発見参照信号を受信するまでの、前記発見参照信号測定タイミング設定ウィンドウ内の前記サブフレーム、および前記発見参照信号測定タイミング設定ウィンドウ直前の前記サブフレームのうちの１つまたは複数を含む、請求項８１または８２に記載のネットワークノード。
【請求項８４】
自律アップリンク送信を行う時に前記無線デバイスによって回避されるべきである前記１つまたは複数のサブフレームは、測定ギャップとして設定される１つまたは複数のサブフレームを含む、請求項８１から８３のいずれか一項に記載のネットワークノード。
【請求項８５】
自律アップリンク送信を行う時に前記無線デバイスによって回避されるべきである前記１つまたは複数のサブフレームは、
前記無線デバイスにリソースを割り当てるために２ステージグラントが前記ネットワークノードによって使用される時に第１のトリガおよび第２のトリガの受信の間の１つまたは複数のサブフレームを含む、請求項８１から８４のいずれか一項に記載のネットワークノード。
【請求項８６】
前記通信モジュールは、前記信号送信設定に関連している前記判断された情報を前記無線デバイスに送る（９０２）ように設定される、請求項８０から８５のいずれか一項に記載のネットワークノード。
【請求項８７】
前記通信モジュールは、前記無線デバイスによる自律アップリンク送信に適用可能なサブフレームパターンの指示を送るように設定される、請求項８０から８６のいずれか一項に記載のネットワークノード。
【請求項８８】
前記サブフレームパターンの前記指示はビットマップである、請求項８７に記載のネットワークノード。
【請求項８９】
前記無線デバイスによる自律アップリンク送信に対する前記信号送信設定に関連している前記情報は、
次の許可送信期間の前に前記無線デバイスによって使用される検知継続時間の長さを判断するためのオフセット値、および
循環周期性のうちの１つまたは複数を含む、請求項８０から８８のいずれか一項に記載のネットワークノード。
【請求項９０】
前記通信モジュールは、
共通物理ダウンリンク制御チャネル、および
上位層シグナリングのうちの１つまたは複数によって、前記オフセット値および前記循環周期性のうちの少なくとも１つを前記無線デバイスに送るように設定される、請求項８９に記載のネットワークノード。
【請求項９１】
前記オフセット値は、自律アップリンク送信を行うための前記無線デバイスの優先レベルに対応する、請求項８９に記載のネットワークノード。
【請求項９２】
前記判断モジュールは、１つまたは複数の基準に基づいて、前記無線デバイスが自律アップリンク送信を非アクティブ化し、かつスケジュールベースアクセスに切り換えるべきであることを判断するように設定され、
前記通信モジュールは、前記無線デバイスが自律アップリンク送信を非アクティブ化するべきであることの指示を前記無線デバイスに送るように設定される、請求項８０から９１のいずれか一項に記載のネットワークノード。
【請求項９３】
前記１つまたは複数の基準は、
前記ネットワークノードにおけるバッファステータス、
トラフィックタイプ、
バッファ増強、
前記チャネルの清浄度、
空ではないＵＬバッファを有するＵＥの数、
１つまたは複数の無線デバイスに対するＮＡＣＫ対ＡＣＫの比率、および
複数の無線デバイスがチャネルに同時にアクセスしようとする場合の前記チャネルに対する衝突数のうちの１つまたは複数を含む、請求項９２に記載のネットワークノード。
【請求項９４】
前記判断モジュールは、前記無線デバイスがスケジュールベースアクセスから自律アップリンク送信に切り換えるべきであることを判断するように設定され、
前記通信モジュールは、前記無線デバイスが自律アップリンク送信をアクティブ化するべきであることの指示を前記無線デバイスに送るように設定される、請求項９２または９３に記載のネットワークノード。
【請求項９５】
前記通信モジュールは、前記無線デバイスが自律アップリンク送信を非アクティブ化するべきであることの前記指示、および前記無線デバイスが自律アップリンク送信をアクティブ化するべきであることの前記指示のうちの１つまたは複数を、
ブロードキャストタイプの制御シグナリング、および
専用制御シグナリングのうちの１つまたは複数を使用して送るように設定される、請求項９２から９４のいずれか一項に記載のネットワークノード。
【請求項９６】
前記ネットワークノードと前記無線デバイスとの間で確立される前記少なくとも１つのセカンダリセルはアンライセンススペクトルにおけるものである、請求項８０から９５のいずれか一項に記載のネットワークノード。
【発明の詳細な説明】
【技術分野】
【０００１】
本開示は、一般に、無線通信に関し、より詳細には、自律送信システムに対する衝突回避適応に関する。
【背景技術】
【０００２】
Ｌｉｃｅｎｓｅｄ−Ａｓｓｉｓｔｅｄ  Ａｃｃｅｓｓ（ＬＡＡ）に取り組む第３世代パートナーシッププロジェクト（３ＧＰＰ）は、Ｌｏｎｇ−Ｔｅｒｍ  Ｅｖｏｌｕｔｉｏｎ（ＬＴＥ）機器がまたアンライセンス無線スペクトルで動作できるようにすることを意図している。アンライセンススペクトルにおけるＬＴＥ動作に対する候補帯域は、とりわけ、５ＧＨｚおよび３．５ＧＨｚを含む。アンライセンススペクトルは、ライセンススペクトルを補うものとして使用可能であるが、完全なスタンドアローン動作も可能とする。
【０００３】
ライセンススペクトルを補うものとして使用されるアンライセンススペクトルの場合、デバイスは、（例えば、プライマルセル（ＰＣｅｌｌ）を介して）ライセンススペクトルにおいて接続し、かつ、キャリアアグリゲーション（ＣＡ）を使用して、（例えば、セカンダリセル（ＳＣｅｌｌ）を介して）アンライセンススペクトルにおける追加の伝送容量から利益を得る。ＣＡフレームワークによってデバイスは２つ以上のキャリアをアグリゲート可能になり、この条件下では、少なくとも１つのキャリア（または周波数チャネル）はライセンススペクトルにあり、少なくとも１つのキャリアはアンライセンススペクトルにある。スタンドアローン（または完全にアンライセンススペクトル）モードの動作では、１つまたは複数のキャリアはアンライセンススペクトルにおいてただ単に選択される。
【０００４】
しかしながら、規制上の要件によって、事前チャネルセンシング、送信電力制限、および／または課せられた最大チャネル占有時間のない、アンライセンススペクトルにおける送信は容認されない場合がある。アンライセンススペクトルは同様のまたは異なった無線技術の他の無線と共有されなければならないため、いわゆるｌｉｓｔｅｎ−ｂｅｆｏｒｅ−ｔａｌｋ（ＬＢＴ）方法は適用される必要がある。ＬＢＴは、事前規定された最小時間で媒体を検知すること、およびチャネルがビジーである場合、バックオフすることを伴う。ＬＴＥ動作におけるチャネルアクセスに対する基地局（例えば、エボルブドＮｏｄｅＢ（ｅＮＢ））に対する端末デバイスの集中調整および依存関係、ならびに課せられたＬＢＴ規制により、ＬＴＥアップリンク（ＵＬ）性能はとりわけ妨げられる。ＵＬ送信では、ユーザ中心のアプリケーション、およびデータをクラウドにプッシュする必要性がますます重要になっている。
【０００５】
現在、アンライセンスの５ＧＨｚスペクトルは、主に、米国電気電子学会（ＩＥＥＥ）８０２．１１の無線ローカルエリアネットワーク（ＷＬＡＮ）標準を実装する機器によって使用されている。この標準は、この市場ブランド「Ｗｉ−Ｆｉ」で知られており、アンライセンススペクトルにおける完全スタンドアローン動作を可能にする。ＬＴＥと違って、Ｗｉ−Ｆｉ端末は、媒体に非同期的にアクセスできるため、とりわけ、輻輳したネットワーク条件において、より良いＵＬ性能特性を示す。
【０００６】
ＬＴＥは、ダウンリンク（ＤＬ）において直交周波数分割多重（ＯＦＤＭ）を、および、ＵＬにおいて離散フーリエ変換（ＤＦＴ）拡散ＯＦＤＭ（シングルキャリア周波数分割多元接続（ＳＣ−ＦＤＭＡ）とも呼ばれる）を使用する。
【０００７】
図１は、例示のＬＴＥ  ＤＬ物理リソースを示す。図１に示されるように、基本のＬＴＥ  ＤＬ物理リソースは、それぞれのリソースエレメント（例えば、リソースエレメント１０）が１つのＯＦＤＭシンボル間隔中に１つのＯＦＤＭサブキャリアに対応する時間周波数グリッドとみなされ得る。ＵＬサブフレームは、ＤＬと同じサブキャリア間隔、および、ＤＬにおけるＯＦＤＭシンボルと、時間領域における同じ数のＳＣ−ＦＤＭＡシンボルを有する。
【０００８】
図２はＬＴＥ時間領域構造の例を示す。時間領域では、ＬＴＥ  ＤＬ送信は、１０ｍｓの無線フレーム（無線フレーム２０など）で構成されている。それぞれの無線フレーム２０は、図２に示されるように、長さＴｓｕｂｆｒａｍｅ＝１ｍｓの等しいサイズの１０のサブフレームから成る。それぞれのサブフレームは、それぞれ継続時間０．５ｍｓの２つのスロットを含み、スロットは０から１９までのフレーム範囲内で番号付けされる。通常のサイクリックプレフィックスに対して、１つのサブフレームは１４のＯＦＤＭシンボルから成る。それぞれのシンボルの継続時間はおよそ７１．４μｓである。
【０００９】
ＬＴＥにおけるリソース割り当ては典型的には、リソースブロックに関して説明される。この場合、リソースブロックは、時間領域における１つのスロット（０．５ｍｓ）および周波数領域における１２の連続したサブキャリアに対応する。時間方向における２つの隣接するリソースブロックのペア（すなわち１．０ｍｓ）は、リソースブロックペアとして既知である。リソースブロックは、周波数領域において番号付けされ、システム帯域幅の１つの終端から０で始まる。
【００１０】
ＤＬ送信は動的にスケジューリングされる（すなわち、それぞれのサブフレームにおいて、基地局は、現在のＤＬサブフレームにおいて、どの端末データが送信され、どのリソースブロックに基づいてデータは送信されるかについての制御情報を送信する）。この制御シグナリングは典型的には、それぞれのサブフレームにおける最初の１、２、３、または４のＯＦＤＭシンボルにおいて送信され、番号ｎ＝１、２、３、または４は、制御フォーマットインジケータ（ＣＦＩ）として既知である。ＤＬサブフレームはまた、受信機に既知であり、かつ例えば、制御情報のコヒーレント復調に使用される共通の参照シンボルを含有する。
【００１１】
図３は例示のＤＬサブフレームを示す。より詳細には、図３は、制御としてＣＦＩ＝３ＯＦＤＭシンボルであるＤＬシステムを示す。図３の例では、示される参照シンボルは、微小時間および周波数同期、ならびに、ある特定の送信モードに対するチャネル推定を含む複数の機能をサポートするために使用される、セル固有参照シンボル（ＣＲＳ）である。
【００１２】
ＵＬ送信は動的にスケジューリングされる（すなわち、それぞれのＤＬサブフレームにおいて、基地局は、どの端末が後続のサブフレームにおいて基地局にデータを送信するべきであるか、およびどのリソースブロックに基づいてデータは送信されるべきであるかについての制御情報を送信する）。ＵＬリソースグリッドは、物理アップリンク共有チャネル（ＰＵＳＣＨ）におけるデータおよびＵＬ制御情報、物理アップリンク制御チャネル（ＰＵＣＣＨ）におけるＵＬ制御情報、ならびに復調参照信号（ＤＭＲＳ）およびサウンディング参照信号（ＳＲＳ）などのさまざまな参照信号から構成される。ＤＭＲＳは、ＰＵＳＣＨおよびＰＵＣＣＨデータのコヒーレント復調に使用されるのに対し、ＳＲＳはいずれのデータまたは制御情報とも関連付けられず、一般的に、周波数選択スケジューリングの目的でＵＬチャネル品質を推定するために使用される。
【００１３】
図４は例示のＵＬサブフレームを示す。ＵＬ  ＤＭＲＳおよびＳＲＳが、ＵＬサブフレームに時間多重され、ＳＲＳが常に通常のＵＬサブフレームの最終シンボルにおいて送信されることは留意されたい。ＰＵＳＣＨ  ＤＭＲＳは、通常のサイクリックプレフィックスを有するサブフレームに対してスロットごとに一度送信され、第４および第１１のＳＣ−ＦＤＭＡシンボルに位置する。
【００１４】
ＬＴＥリリース１１以降、ＤＬまたはＵＬリソースアサインはまた、拡張物理ダウンリンク制御チャネル（ＥＰＤＣＣＨ）上でスケジューリング可能である。リリース８からリリース１０について、物理ダウンリンク制御チャネル（ＰＤＣＣＨ）のみが利用可能である。リソースグラントは、ユーザ機器（ＵＥ）固有であり、ダウンリンク制御情報（ＤＣＩ）巡回冗長検査（ＣＲＣ）をＵＥ固有セル無線ネットワーク一時識別子（Ｃ−ＲＮＴＩ）の識別子でスクランブルすることによって指示される。一意のＣ−ＲＮＴＩは、関連付けられる各ＵＥに対してセルごとにアサインされ、１６進形式で範囲０００１〜ＦＦＦ３における値を取ることができる。ＵＥは全てのサービングセルに対して同じＣ−ＲＮＴＩを使用する。
【００１５】
ＬＴＥにおいて、ＵＬアクセスは、典型的には、ｅＮＢによって制御される（すなわち、スケジューリングされる）。この場合、ＵＥは、例えば、スケジューリング要求（ＳＲ）メッセージを送ることによって、データが送信に利用可能である時にｅＮＢに報告することが考えられる。これに基づいて、ｅＮＢは、ある特定のサイズのデータの送信を実行するために、ＵＥにリソースおよび関連情報を与えることが考えられる。アサインされたリソースは、ＵＥが全ての利用可能データを送信するのに必ずしも十分ではない。このような場合、ＵＥは、送信を待機しているデータの正確なサイズおよび更新されたサイズについてｅＮＢに通知するために、与えられたリソースにおけるバッファステータス報告（ＢＳＲ）制御メッセージを送ることができる。これに基づいて、ｅＮＢは、ＵＥが補正されたサイズのデータのＵＬ送信を続行するためにリソースをさらに与えることが考えられる。
【００１６】
より詳細には、新しいデータがＵＥの空のバッファに到達する度に、以下の手順が行われるものとする。ＰＵＣＣＨを使用して、ＵＥはネットワークに、ＵＬアクセスを必要とすることを指示するＳＲを送ることによってデータを送信する必要があることを通知する。ＵＥは、（典型的には、５、１０、または２０ｍｓの間隔での）ＳＲ送信の周期タイムスロットを有する。ｅＮＢは、ＳＲ要求ビットを受信すると、保留のバッファのサイズを通信するのにちょうどの大きさの小さな「ＵＬグラント」で応答する。この要求への反応は典型的には、３ｍｓかかる。ＵＥが（約３ｍｓかかる）この第１のＵＬグラントを受信しかつ処理した後に、ＵＥは典型的にはＢＳＲを送り、これは、ＵＥのＵＬバッファにおける保留のデータの量についての情報を提供するために使用される媒体アクセス制御（ＭＡＣ）制御エレメント（ＣＥ）である。グラントが十分大きい場合、ＵＥはデータを同様にこの送信の範囲内でそのバッファから送る。ＢＳＲが送られるかどうかについてはまた、３ＧＰＰ  ＴＳ３６．３２１  ｖ１２．１．０（２０１４−０３）、「３ｒｄ  Ｇｅｎｅｒａｔｉｏｎ  Ｐａｒｔｎｅｒｓｈｉｐ  Ｐｒｏｊｅｃｔ；Ｔｅｃｈｎｉｃａｌ  Ｓｐｅｃｉｆｉｃａｔｉｏｎ  Ｇｒｏｕｐ  Ｒａｄｉｏ  Ａｃｃｅｓｓ  Ｎｅｔｗｏｒｋ；Ｅｖｏｌｖｅｄ  Ｕｎｉｖｅｒｓａｌ  Ｔｅｒｒｅｓｔｒｉａｌ  Ｒａｄｉｏ  Ａｃｃｅｓｓ（Ｅ−ＵＴＲＡ）；Ｍｅｄｉｕｍ  Ａｃｃｅｓｓ  Ｃｏｎｔｒｏｌ（ＭＡＣ）ｐｒｏｔｏｃｏｌ  ｓｐｅｃｉｆｉｃａｔｉｏｎ」、リリース１２において指定される条件に左右される。ｅＮＢは、ＢＳＲメッセージを受信し、必要なＵＬリソースを割り当て、デバイスがこのバッファをドレインすることを可能にすることになる別のＵＬグラントを送り返す。
【００１７】
全体で、約１６ｍｓ（加えて、ＰＵＣＣＨ送信機会を待機する時間）の遅延は、ＵＥにおける空のバッファにおけるデータ到達とｅＮＢにおけるこのデータの受信との間で予想され得る。
【００１８】
ＵＥがＬＴＥにおいて接続される無線リソース制御（ＲＲＣ）でない、または、ある特定の時間に何も送信または受信しなかったため、このＵＬ同期を喪失している場合、ＵＥは、ネットワークに接続し、同期を取得し、またＳＲを送るためのランダムアクセス（ＲＡ）手順を使用することが考えられる。この場合には、データが送られ得るまでの手順は、ＰＵＣＣＨ上でのＳＲ送信よりさらまた長くかかることが考えられる。
【００１９】
ＬＴＥシステムにおいて、送信フォーマットおよびパラメータは、ｅＮＢによって制御される。典型的には、ＤＣＩは、（周波数ホッピングが適用されるかどうかを含む）ＵＬ送信に割り当てられたリソース、変調符号化方式、冗長バージョン、新データインジケータ、送信電力制御コマンド、ＤＭＲＳについての情報、ターゲットキャリアインデックス（クロスキャリアスケジューリングの場合）、および他の適用可能なＵＬ送信についての制御情報を含有する。ＤＣＩは、最初に１６ビットのＣＲＣによって保護される。このＣＲＣビットは、さらに、アサインされたＵＥ識別子（例えば、Ｃ−ＲＮＴＩ）によってスクランブルされる。ＤＣＩおよびスクランブルされたＣＲＣビットはさらに、畳み込み符号化によって保護される。符号化ビットは、ＰＤＣＣＨまたはＥＰＤＣＣＨのどちらかを使用してｅＮＢからＵＥに送信される。
【００２０】
半永続スケジューリング（ＳＰＳ）は、ＵＥモデムに無線リソースが周期的に与えられる点で事前スケジューリングと同様である。主な違いは、ＵＥモデムにリソースが与えられる度に送られる明示的なグラント信号がないことである。代わりに、ｅＮＢは、ＵＥモデムが、リソースが与えられる時の記録を取り、かつデータを送るためにその時間／周波数スロットを使用できるようにする長続きするグラントを送る。
【００２１】
瞬間アップリンクアクセス（ＩＵＡ）は、３ＧＰＰレイテンシ削減研究項目において論じられた。ＩＵＡは、明示的なＳＲなしでデータの送信を可能にする事前スケジューリングの形式である。ＩＵＡは、「バッファにデータがなければグラントを使用して送信しない」という新しいＵＥ条件を導入するＳＰＳフレームワークの拡張である。
【００２２】
現在のＬＴＥフレームワークでは、ＵＬグラントを有するＵＥは何かを送らざるを得ない。ＵＥがＵＬデータを有さない場合でも、ＵＥはパディングを送ることが考えられる。さらに、最も低いＳＰＳ期間は１０サブフレームである。ＵＬが高速であると、ＳＰＳに対して２つの修正が行われて、ＩＵＡを有効にする。第一に、１サブフレーム下までのＳＰＳ期間（または送信時間間隔（ＴＴＩ））を可能にする。第二に、パディングスキップ設定を可能にする（すなわち、ＵＥは、そのサブフレームに対してデータを有さない場合、与えられたＵＬリソースにおいて送信する必要はない）。
【００２３】
現在のＬＴＥ仕様では、ＳＰＳおよびＩＵＡの特徴は、プライマリセル（ＰＣｅｌｌ）に対してのみ規定される。ＳＰＳおよびＩＵＡの設定およびコマンドはまた、規定され、かつＵＥごとに行われる。
【００２４】
ＷＬＡＮの典型的な配置では、衝突回避のあるキャリア検知多重アクセス（ＣＳＭＡ／ＣＡ）は媒体アクセスに使用される。これは、クリアチャネル評価（ＣＣＡ）を行うチャネルが検知され、このチャネルがアイドル状態であることが宣言される場合にのみ送信が開始されることを意味する。チャネルがビジーであると宣言される場合、チャネルがアイドル状態であるとみなされるまで、送信は基本的に延期される。
【００２５】
図５は、Ｗｉ−ＦｉにおけるＬＢＴ機構の例を示す。Ｗｉ−ＦｉステーションＡがステーションＢにデータフレームを送信後、ステーションＢは肯定応答（ＡＣＫ）フレームを１６μｓの遅延によってステーションＡに送り返す。ＡＣＫフレームは、ｌｉｓｔｅｎ−ｂｅｆｏｒｅ−ｔａｌｋ（ＬＢＴ）動作を行うことなくステーションＢによって送信される。別のステーションがこのようなＡＣＫフレーム送信に干渉しないように、ステーションは、チャネルが占有されているかどうかを再び評価する前にチャネルが占有されていると観測された後に（分散フレーム間スペース（ＤＩＦＳ）と称される）３４μｓの継続時間で延期するものとする。よって、送信を望むステーションは、固定継続時間ＤＩＦＳで媒体を検知することによって最初にＣＣＡを行う。媒体がアイドル状態である場合、ステーションは、媒体の所有権を獲得し、フレーム交換シーケンスを開始してよいことを想定する。媒体がビジーである場合、ステーションは、媒体がアイドル状態に入るまで待機し、ＤＩＦＳ分延期し、さらなるランダムなバックオフ期間を待機する。
【００２６】
上述される基本プロトコルにおいて、媒体が利用可能になる時、複数のＷｉ−Ｆｉステーションは送信する準備ができている場合がある。これによって衝突が生じる可能性がある。衝突を削減するために、送信しようとしているステーションは、ランダムバックオフカウンタを選択し、かつそのスロットチャネルの数分アイドル時間を延期する。ランダムバックオフカウンタは、［０、ＣＷ］の間隔にわたる均一分布から引き出されるランダムな整数として選択される。ランダムバックオフ競合ウィンドウのデフォルトサイズ（ＣＷｍｉｎ）は、ＩＥＥＥ仕様で設定される。例えば、チャネルアクセスを求めて競合する多くのステーションがある時、このランダムバックオフプロトコルの元でも衝突が依然生じ得ることは留意されたい。それ故に、衝突の再発を回避するために、バックオフ競合ウィンドウサイズＣＷは、ステーションが限度であるＣＷｍａｘまでの送信の衝突を検出する時はいつでも２倍にされ、また、ＩＥＥＥ仕様で設定される。ステーションは、衝突なしで送信に成功する時、そのランダムバックオフ競合ウィンドウサイズをデフォルト値ＣＷｍｉｎに戻すように再設定する。
【００２７】
図６は、ヨーロッパ電気通信標準協会（ＥＴＳＩ）ＥＮ３０１．８９３におけるＬＢＴの例を示す。Ｗｉ−Ｆｉプロトコルを利用しないデバイスについて、ＥＴＳＩ標準ＥＮ３０１．８９３、ｖ１．７．１は、負荷ベースのＣＣＡに対する以下の要件および最小限の挙動を提供する。
【００２８】
第１の要件は、動作チャネル上での送信または一気に生じる送信の前に、「エネルギー検出」を使用して機器がクリアチャネル評価（ＣＣＡ）チェックを行うものとすることである。機器は、２０μｓ未満にはならないＣＣＡ観測時間の継続時間に動作チャネルを観測するものとする。機器によって使用されるＣＣＡ観測時間は製造業者によって示されるものである。動作チャネルは、チャネルにおけるエネルギーレベルが後述される第５の要件で挙げられる電力レベルに対応する閾値を超える場合に占有されているとみなされるものとする。チャネルがクリアであると機器が見出す場合、機器は即座に送信し得る（後述される第３の要件を参照）。これは、時間間隔１および２で図６の例に示されている。時間間隔１では、機器は、上述されるようなＣＣＡチェックを行う。チャネルがクリアであることが分かると、機器は時間間隔２の間に即座に送信する。
【００２９】
第２の要件は、動作チャネルが占有されていると機器が見出す場合、機器がそのチャネルで送信しないものとすることである。機器は、動作チャネルが、ランダム係数ＮとＣＣＡ観測時間とを乗じた継続時間で観測される拡張したＣＣＡチェックを行うものとする。Ｎは、送信の開始前に観測される必要がある全アイドル期間をもたらすクリアアイドルスロットの数を規定する。Ｎの値は、拡張したＣＣＡが必要とされ、かつ値がカウンタに記憶される度に１…ｑの範囲でランダムに選択されるものとする。ｑの値は、４…３２の範囲で製造業者によって選択される。この選択された値は製造業者によって示されるものとする（条項５．３．１  ｑを参照）。カウンタは、ＣＣＡスロットが「占有されていない」とみなされる度にデクリメントされる。カウンタがゼロに達する時、機器は送信することができる。
【００３０】
これは、時間間隔３で図６の例に示される。時間間隔３の開始時に、機器は、ＣＣＡチェックを行い、かつチャネルが占有されていることを見出す。よって、機器は上述されるような拡張したＣＣＡチェックを行う。図６の例では、Ｎの値はＮ＝３で初期化される。カウンタＮはＣＣＡスロットが占有されていないとみなされる度にデクリメントされる。図６の例では、拡張したＣＣＡチェックにおける第１のチャネルＣＣＡスロットは、占有されていないと判断されるため、カウンタは３から２にデクリメントされる。拡張したＣＣＡチェックにおける第２のチャネルＣＣＡスロットは占有されていると判断されるため、カウンタは２からデクリメントされない。拡張したＣＣＡチェックにおける第３のチャネルＣＣＡスロットは、占有されていないと判断されるため、カウンタは２から１にデクリメントされる。同様に、拡張したＣＣＡチェックにおける第４のＣＣＡスロットは占有されていないと判断されるため、カウンタは１から０にデクリメントされる。カウンタがゼロに達する時、機器は時間間隔４の間に送信する。
【００３１】
第３の要件は、機器が動作チャネルを利用する合計時間が、（１３／３２）×ｑ  ｍｓ未満とする最大チャネル占有時間であり、ここでｑは上述される第２の要件において規定されるものである。その後、デバイスは、上記の第２の要件で説明された拡張したＣＣＡを行うものとする。
【００３２】
第４の要件は、機器が、この機器を対象としたパケットを正確に受信すると、ＣＣＡをスキップし、かつ即座に管理および制御フレーム（例えば、ＡＣＫおよびブロックＡＣＫフレーム）の送信に進むことができることである。これは、時間間隔５の間に図６の例において示される。機器による送信の連続的なシーケンスは、新しいＣＣＡを行わずに、上述される第３の要件において規定される最大チャネル占有時間を超えないものとする。マルチキャストの目的で、個々のデバイスの（同じデータパケットと関連付けられる）ＡＣＫ送信は連続して行われることが可能とされる。
【００３３】
第５の要件は、ＣＣＡに対するエネルギー検出閾値が送信機の最大送信電力（ＰＨ）に比例するものとすることである。２３ｄＢｍ  ｅ．ｉ．ｒ．ｐ．送信機について、ＣＣＡ閾値レベル（ＴＬ）は、（０ｄＢｉ受信アンテナを想定して）受信機への入力において−７３ｄＢｍ／ＭＨｚ以下であるものとする。他の送信電力レベルについて、ＣＣＡ閾値レベルＴＬは、（０ｄＢｉ受信アンテナ、およびｄＢｍ  ｅ．ｉ．ｒ．ｐ．において指定されるＰＨを想定して）ＴＬ＝−７３ｄＢｍ／ＭＨｚ＋２３−ＰＨの式を使用して算出されるものとする。
【００３４】
今までのところ、ＬＴＥによって使用されるスペクトルはＬＴＥ専用である。これは、ＬＴＥシステムが共存問題に慎重になる必要はないという利点を有する。また、スペクトル効率を最大化することを可能にする。ＬＴＥに割り当てられるスペクトルは限定されるが、アプリケーションおよび／またはサービスからのスループットを大きくするための増え続ける需要を満たすことができない。従って、リリース１３のＬＡＡは、ライセンススペクトルに加えてアンライセンススペクトルを活用するためのＬＴＥを拡張した。アンライセンススペクトルは、規定では、複数の異なる技術によって同時に使用可能である。ＬＴＥは従って、ＩＥＥＥ８０２．１１（Ｗｉ−Ｆｉ）などの他のシステムとの共存問題を考慮する必要がある。ライセンススペクトルのようにアンライセンススペクトルにおいて同じようにＬＴＥを動作させることは、Ｗｉ−Ｆｉが、チャネルが占有されていることを検出すると送信を行わないため、Ｗｉ−Ｆｉの性能を著しく劣化させる可能性がある。
【００３５】
図７は、ＬＴＥキャリアアグリゲーションを使用するアンライセンススペクトルに対するＬＡＡの例を示す。アンライセンススペクトルを確実に利用するための１つのやり方は、ライセンスキャリア上で基本的な制御信号およびチャネルを送信することである。すなわち、図７に示されるように、無線デバイス１１０（例えば、ＵＥ）は、ライセンス帯域においてはＰＣｅｌｌ７０５に、およびアンライセンス帯域では１つまたは複数のセカンダリセル（ＳＣｅｌｌ）７１０に接続される。本明細書で使用されるように、アンライセンススペクトルにおけるセカンダリセルはＬＡＡセカンダリセル（ＬＡＡ  ＳＣｅｌｌ）と称される。（ＭｕｌｔｅＦｉｒｅのような）スタンドアローン動作の場合、ＵＬ制御信号送信にはライセンスセルは利用可能ではない。
【００３６】
ＬＡＡ／ＭｕｌｔｅＦｉｒｅのＬＢＴおよび最大送信バースト継続時間機能性の組み合わせは、ＬＴＥ参照信号が固定周期で送信されることが保証されないことを暗示する。同期、周波数推定、および無線リソース管理（ＲＲＭ）測定をサポートするために、発見参照信号／サブフレーム（ＤＲＳ）は、周期的に送信され、かつプライマリ同期信号（ＰＳＳ）、セカンダリ同期信号（ＳＳＳ）、セル固有参照信号（ＣＲＳ）、およびＬＡＡに対するチャネル状態情報参照信号（ＣＳＩ−ＲＳ）、さらにまた、ＭｕｌｔｅＦｉｒｅに対する物理ブロードキャストチャネル（ＰＢＣＨ）およびセッション情報ブロック（ＳＩＢ）送信を含有する。ＬＢＴ制限により、ＤＲＳ送信は特定の時間インスタンスにおいて保証不可能である。それ故に、ＤＲＳは、ＤＲＳ測定時間設定（ＤＭＴＣ）によって指定されるウィンドウ内で送信可能である。
【発明の概要】
【００３７】
既存の手法による問題に対処するために、無線デバイスにおける方法が開示される。方法は、無線デバイスによる自律アップリンク送信に対する信号送信設定に関連している情報を取得することであって、情報は、無線デバイスとネットワークノードとの間で確立される少なくとも１つのセカンダリセル上で自律アップリンク送信を行う際に無線デバイスによって使用される事前割り当てリソースのセット、および事前割り当てリソースのセットと関連付けられた周期性を含む、取得することを含む。方法は、信号送信設定に関連している取得された情報に従って自律アップリンク送信を行うことを含む。
【００３８】
ある特定の実施形態では、無線デバイスによる自律アップリンク送信に対する信号送信設定に関連している情報は、自律アップリンク送信を行う時に無線デバイスによって回避されるべきである１つまたは複数のサブフレームについての情報をさらに含んでよい。ある特定の実施形態では、自律アップリンク送信を行う時に無線デバイスによって回避されるべきである１つまたは複数のサブフレームについての情報は、ネットワークノードが発見参照信号を送信するために使用し、かつ無線デバイスが回避するべきであるサブフレームの指示、および、ネットワークノードが発見参照信号を送信するために使用し、かつ無線デバイスが回避するべきであるサブフレームの直前のサブフレームの指示のうちの１つまたは複数を含んでよい。
【００３９】
ある特定の実施形態では、自律アップリンク送信を行う時に無線デバイスによって回避されるべきである１つまたは複数のサブフレームについての情報は、発見参照信号測定タイミング設定ウィンドウ内であり、無線デバイスが回避するべきである全てのサブフレームの指示、発見参照信号測定タイミング設定ウィンドウ直前であり、無線デバイスが回避するべきであるサブフレームの指示、ならびに、無線デバイスが発見参照信号を受信するまでの、発見参照信号測定タイミング設定ウィンドウ内のサブフレーム、および、発見参照信号測定タイミング設定ウィンドウ直前であり、かつ無線デバイスが回避するべきであるサブフレームの指示のうちの１つまたは複数を含んでよい。
【００４０】
ある特定の実施形態では、自律アップリンク送信を行う時に無線デバイスによって回避されるべきである１つまたは複数のサブフレームについての情報は、測定ギャップとして設定され、かつ無線デバイスが回避するべきである１つまたは複数のサブフレームの指示を含んでよい。ある特定の実施形態では、自律アップリンク送信を行う時に無線デバイスによって回避されるべきである１つまたは複数のサブフレームについての情報は、無線デバイスにリソースを割り当てるために２ステージグラントがネットワークノードによって使用される時に第１のトリガおよび第２のトリガの受信の間であり、無線デバイスが回避するべきである１つまたは複数のサブフレームの指示を含んでよい。
【００４１】
ある特定の実施形態では、無線デバイスによる自律アップリンク送信に対する信号送信設定に関連している情報を取得することは、無線デバイスによる自律アップリンク送信に適用可能なサブフレームパターンの指示を受信することを含んでよい。サブフレームパターンの指示はビットマップであってよい。
【００４２】
ある特定の実施形態では、無線デバイスによる自律アップリンク送信に対する信号送信設定に関連している情報は、次の許可送信期間の前に無線デバイスによって使用される検知継続時間の長さを判断するためのオフセット値、および循環周期性のうちの１つまたは複数を含んでよい。方法は、共通物理ダウンリンク制御チャネルおよび上位層シグナリングのうちの１つまたは複数によって、オフセット値および循環周期性のうちの少なくとも１つを受信することを含んでよい。オフセット値は、自律アップリンク送信を行うための無線デバイスの優先レベルに対応してよい。
【００４３】
ある特定の実施形態では、方法は、無線デバイスが自律アップリンク送信を非アクティブ化するべきであることの指示を受信することを含んでよい。ある特定の実施形態では、方法は、無線デバイスが自律アップリンク送信をアクティブ化するべきであることの指示を受信することを含んでよい。無線デバイスが自律アップリンク送信を非アクティブ化するべきであることの指示、および無線デバイスが自律アップリンク送信をアクティブ化するべきであることの指示のうちの１つまたは複数は、ブロードキャストタイプの制御シグナリング、および専用制御シグナリングのうちの１つまたは複数にわたって受信されてよい。
【００４４】
ある特定の実施形態では、無線デバイスとネットワークノードとの間で確立される少なくとも１つのセカンダリセルはアンライセンススペクトルにおけるものであってよい。
【００４５】
さらにまた、無線デバイスが開示される。無線デバイスは処理回路構成を含む。処理回路構成は、無線デバイスによる自律アップリンク送信に対する信号送信設定に関連している情報を取得するように設定され、情報は、無線デバイスとネットワークノードとの間で確立される少なくとも１つのセカンダリセル上で自律アップリンク送信を行う際に無線デバイスによって使用される事前割り当てリソースのセット、および事前割り当てリソースのセットと関連付けられた周期性を含む。処理回路構成は、信号送信設定に関連している取得された情報に従って自律アップリンク送信を行うように設定される。
【００４６】
さらにまた、無線デバイスが開示される。無線デバイスは、受信モジュール、判断モジュール、および通信モジュールを含む。判断モジュールは、無線デバイスによる自律アップリンク送信に対する信号送信設定に関連している情報を取得するように設定され、情報は、無線デバイスとネットワークノードとの間で確立される少なくとも１つのセカンダリセル上で自律アップリンク送信を行う際に無線デバイスによって使用される事前割り当てリソースのセット、および事前割り当てリソースのセットと関連付けられた周期性を含む。通信モジュールは、信号送信設定に関連している取得された情報に従って自律アップリンク送信を行うように設定される。
【００４７】
さらにまた、ネットワークノードにおける方法が開示される。方法は、無線デバイスによる自律アップリンク送信に対する信号送信設定に関連している情報を判断することを含み、情報は、ネットワークノードと無線デバイスとの間で確立される少なくとも１つのセカンダリセル上で自律アップリンク送信を行う際に無線デバイスによって使用される事前割り当てリソースのセット、および事前割り当てリソースのセットと関連付けられた周期性を含む。方法は、無線デバイスが、信号送信設定に関連している判断された情報に従って自律アップリンク送信を行うように設定することを含む。
【００４８】
ある特定の実施形態では、無線デバイスによる自律アップリンク送信に対する信号送信設定に関連している情報は、自律アップリンク送信を行う時に無線デバイスによって回避されるべきである１つまたは複数のサブフレームについての情報をさらに含んでよい。ある特定の実施形態では、自律アップリンク送信を行う時に無線デバイスによって回避されるべきである１つまたは複数のサブフレームは、ネットワークノードが発見参照信号を送信するために使用するサブフレーム、および、ネットワークノードが発見参照信号を送信するために使用するサブフレームの直前のサブフレームのうちの１つまたは複数を含んでよい。
【００４９】
ある特定の実施形態では、自律アップリンク送信を行う時に無線デバイスによって回避されるべきである１つまたは複数のサブフレームは、発見参照信号測定タイミング設定ウィンドウ内の全てのサブフレーム、発見参照信号測定タイミング設定ウィンドウ直前のサブフレーム、ならびに、無線デバイスが発見参照信号を受信するまでの、発見参照信号測定タイミング設定ウィンドウ内のサブフレーム、および発見参照信号測定タイミング設定ウィンドウ直前のサブフレームのうちの１つまたは複数を含んでよい。
【００５０】
ある特定の実施形態では、自律アップリンク送信を行う時に無線デバイスによって回避されるべきである１つまたは複数のサブフレームは、測定ギャップとして設定される１つまたは複数のサブフレームを含んでよい。
【００５１】
ある特定の実施形態では、自律アップリンク送信を行う時に無線デバイスによって回避されるべきである１つまたは複数のサブフレームは、無線デバイスにリソースを割り当てるために２ステージグラントがネットワークノードによって使用される時に第１のトリガおよび第２のトリガの受信の間の１つまたは複数のサブフレームを含んでよい。
【００５２】
ある特定の実施形態では、無線デバイスが、信号送信設定に関連している判断された情報に従って自律アップリンク送信を行うように設定することは、信号送信設定に関連している判断された情報を無線デバイスに送ることを含んでよい。
【００５３】
ある特定の実施形態では、無線デバイスが、信号送信設定に関連している判断された情報に従って自律アップリンク送信を行うように設定することは、無線デバイスによる自律アップリンク送信に適用可能なサブフレームパターンの指示を送ることを含んでよい。ある特定の実施形態では、サブフレームパターンの指示はビットマップであってよい。
【００５４】
ある特定の実施形態では、無線デバイスによる自律アップリンク送信に対する信号送信設定に関連している情報は、次の許可送信期間の前に無線デバイスによって使用される検知継続時間の長さを判断するためのオフセット値、および循環周期性のうちの１つまたは複数を含んでよい。方法は、共通物理ダウンリンク制御チャネルおよび上位層シグナリングのうちの１つまたは複数によって、オフセット値および循環周期性のうちの少なくとも１つを無線デバイスに送ることを含んでよい。オフセット値は、自律アップリンク送信を行うための無線デバイスの優先レベルに対応してよい。
【００５５】
ある特定の実施形態では、方法は、１つまたは複数の基準に基づいて、無線デバイスが自律アップリンク送信を非アクティブ化し、かつスケジュールベースアクセスに切り換えるべきであることを判断することと、無線デバイスが自律アップリンク送信を非アクティブ化するべきであることの指示を無線デバイスに送ることとを含んでよい。１つまたは複数の基準は、ネットワークノードにおけるバッファステータス、トラフィックタイプ、バッファ増強、チャネルの清浄度、空ではないＵＬバッファを有するＵＥの数、１つまたは複数の無線デバイスに対する否定応答（ＮＡＣＫ）対ＡＣＫの比率、および複数の無線デバイスがチャネルに同時にアクセスしようとする場合のチャネルに対する衝突数のうちの１つまたは複数を含んでよい。ある特定の実施形態では、方法は、無線デバイスがスケジュールベースアクセスから自律アップリンク送信に切り換えるべきであることを判断することと、無線デバイスが自律アップリンク送信をアクティブ化するべきであることの指示を無線デバイスに送ることとを含んでよい。ある特定の実施形態では、無線デバイスが自律アップリンク送信を非アクティブ化するべきであることの指示、および無線デバイスが自律アップリンク送信をアクティブ化するべきであることの指示のうちの１つまたは複数は、ブロードキャストタイプの制御シグナリング、および専用制御シグナリングのうちの１つまたは複数を使用して送られる。
【００５６】
ある特定の実施形態では、ネットワークノードと無線デバイスとの間で確立される少なくとも１つのセカンダリセルはアンライセンススペクトルにおけるものであってよい。
【００５７】
さらにまた、ネットワークノードが開示される。ネットワークノードは処理回路構成を含む。処理回路構成は、無線デバイスによる自律アップリンク送信に対する信号送信設定に関連している情報を判断するように設定され、情報は、ネットワークノードと無線デバイスとの間で確立される少なくとも１つのセカンダリセル上で自律アップリンク送信を行う際に無線デバイスによって使用される事前割り当てリソースのセット、および事前割り当てリソースのセットと関連付けられた周期性を含む。処理回路構成は、無線デバイスが、信号送信設定に関連している判断された情報に従って自律アップリンク送信を行うように設定するように設定される。
【００５８】
さらにまた、ネットワークノードが開示される。ネットワークノードは、通信モジュール、受信モジュール、および判断モジュールを含む。判断モジュールは、無線デバイスによる自律アップリンク送信に対する信号送信設定に関連している情報を判断するように設定され、情報は、ネットワークノードと無線デバイスとの間で確立される少なくとも１つのセカンダリセル上で自律アップリンク送信を行う際に無線デバイスによって使用される事前割り当てリソースのセット、および事前割り当てリソースのセットと関連付けられた周期性を含む。判断モジュールは、無線デバイスが、信号送信設定に関連している判断された情報に従って自律アップリンク送信を行うように設定するように設定される。
【００５９】
本開示のある特定の実施形態は、１つまたは複数の技術的利点を提供することができる。例えば、ある特定の実施形態は、有利には、ＬＴＥシステムが、とりわけ、アンライセンススペクトルにおいてそのＵＬチャネルアクセスを向上させることを可能にしてよい。別の例として、ある特定の実施形態は、有利には、低負荷条件でＵＬレイテンシを削減し、ＵＬアクセスに対してチャネル利用を増大させることができる。さらなる別の例として、ある特定の実施形態は、有利には、負荷のある状況でアンライセンスチャネルに対する競合を削減することができる。なお別の例として、ある特定の実施形態は、アンライセンススペクトルにおけるＬＴＥの効率を改善することができ、さらにまた、他の併置されたネットワークとのスペクトル共存の利益を得てこれをサポートすることができる。他の利点は当業者には容易に明らかにすることができる。ある特定の実施形態は、記載した利点のいずれも有さない場合があり、一部または全てを有する場合がある。
【００６０】
開示された実施形態、ならびにこれらの特徴および利点をより詳しく理解するために、ここで、添付の図面と併せて以下の説明を参照する。
【図面の簡単な説明】
【００６１】
【図１】例示のＬＴＥ  ＤＬ物理リソースを示す図である。
【図２】ＬＴＥ時間領域構造の例を示す図である。
【図３】例示のＤＬサブフレームを示す図である。
【図４】例示のＵＬサブフレームを示す図である。
【図５】Ｗｉ−ＦｉにおけるＬＢＴ機構の例を示す図である。
【図６】ＥＴＳＩ  ＥＮ  ３０１．８９３におけるＬＢＴの例を示す図である。
【図７】ＬＴＥキャリアアグリゲーションを使用するアンライセンススペクトルに対するＬＡＡの例を示す図である。
【図８】ある特定の実施形態による、例示の無線通信ネットワークを示す図である。
【図９】ある特定の実施形態による信号フロー図である。
【図１０】ある特定の実施形態による、無線デバイスにおける方法のフロー図である。
【図１１】ある特定の実施形態による、ネットワークノードにおける方法のフロー図である。
【図１２】ある特定の実施形態による、例示の無線デバイスのブロック図である。
【図１３】ある特定の実施形態による、例示の無線ネットワークノードのブロック図である。
【図１４】ある特定の実施形態による、例示の無線ネットワークコントローラまたはコアネットワークノードのブロック図である。
【図１５】ある特定の実施形態による、例示の無線デバイスのブロック図である。
【図１６】ある特定の実施形態による、例示のネットワークノードのブロック図である。
【発明を実施するための形態】
【００６２】
ＬＴＥ  ＵＬチャネルアクセスについて、無線デバイス（例えば、ＵＥ）およびネットワークノード（例えば、ｅＮＢ）は両方共、ＳＲ、スケジューリンググラント、およびデータ送信段階に対応するＬＢＴ動作を行う必要がある。対照的に、Ｗｉ−Ｆｉ端末は、ＵＬデータ送信段階において一度ＬＢＴを行う必要があるのみである。さらに、Ｗｉ−Ｆｉ端末は、同期したＬＴＥシステムと比較してデータを非同期に送ることができる。よって、Ｗｉ−Ｆｉ端末は、ＵＬデータ送信においてＬＴＥ端末に対して元々有利であり、シミュレーション研究に従って併置した展開シナリオにおいて優れた性能を示す。
【００６３】
研究結果全体は、Ｗｉ−Ｆｉが、特に、低負荷またはあまり輻輳していないネットワーク条件において、ＬＴＥより良好なＵＬ性能を有することを示す。ネットワーク輻輳または負荷が増大すると、ＬＴＥチャネルアクセス機構（時分割多元接続（ＴＤＭＡ）タイプ）はより効率的になるが、Ｗｉ−Ｆｉ  ＵＬ性能は依然優れている。ＬＴＥ／ＬＡＡ／ＭｕｌｔｅＦｉｒｅに対する２つの異なるＵＬ概念は、ＵＬの柔軟性および性能を増大させるために提案されている。第１の概念によると、Ｗｉ−Ｆｉ挙動と同様に、無線デバイスは、ネットワークノードからの容認を待機することなくＵＬ送信を開始できる。換言すれば、無線デバイスは、ＳＲを送信する、またはネットワークノードからのＵＬグラントを有することなく、ＵＬデータが到達する時はいつでも、ＵＬチャネルアクセスを得るようにＬＢＴを行うことができる。無線デバイスは、データ送信全体に対して不定期モードを使用することができる、または代替的には、第１のＮの送信バーストに対して不定期モードを使用して送信後、もう一度ネットワークノード制御スケジューリングモードに切り換えることができる。第２の概念によると、１ｍｓまで下げた付与済み周期性によるＳＰＳグラントは、自律ＵＬと同様の挙動を実現するために提案される。１ｍｓの周期性によって、無線デバイスは、全付与済み期間にサブフレームごとに送信を試みることができる。
【００６４】
それにもかかわらず、高負荷の自律ＵＬ送信は、多数の衝突およびより長い延期をもたらす可能性がある。このようなシナリオでは、ネットワークノードがその挙動を、不定期の自律ベースＵＬアクセスからスケジュールベースアクセスへと段階的に適応させることは有益である。
【００６５】
本開示は、既存の手法と関連付けられたこれらのおよび他の不備に対処することが可能であるさまざまな実施形態を意図している。例えば、ある特定の実施形態では、自律送信中に衝突を回避するための方法が開示される。ある特定の実施形態では、無線デバイスは、自律ＵＬ送信を行う時に特定的なサブフレームを回避するように設定される。ある特定の実施形態では、種々の無線デバイスからの送信の開始点を整列することは、例えば、自律ＵＬ送信によって設定された無線デバイスの間の種々のサブフレームにおける送信の開始を循環させて優先させることによって回避される。ある特定の実施形態では、ＵＬアクセスは、ＬＡＡおよび／またはスタンドアローンＬＴＥにおいて、不定期自律送信からスケジュールベースアクセスに（逆の場合も同様に）適応させる。場合によって、定期的ＵＬアクセスと非定期ＵＬアクセスとの間の動的切り換えは、負荷状況に基づく場合がある。これらの手順の１つまたは複数を採用することによって、有利には、無線デバイスの間の衝突を回避することによってＬＡＡまたはスタンドアローンＬＴＥにおけるＵＬ性能を改善することができる。
【００６６】
１つの例示の実施形態によると、無線デバイスにおける方法が開示される。無線デバイスは、無線デバイスによる自律ＵＬ送信に対する信号送信設定に関連している情報を取得する。情報は、無線デバイスとネットワークノードとの間で確立される少なくとも１つのセカンダリセル上で自律ＵＬ送信を行う際に無線デバイスによって使用される事前割り当てリソースのセット、および事前割り当てリソースのセットと関連付けられた周期性を含んでよい。無線デバイスは、任意の適したやり方で、自律ＵＬ送信に対する信号送信設定に関連している情報を取得することができる。例えば、無線デバイスは、ネットワークノード（例えば、ｅＮＢ）から信号送信設定に関連している情報を受信することができる。別の例として、無線デバイスは、信号送信設定に関連している情報を自律的に判断することができる。
【００６７】
無線デバイスは、信号送信設定に関連している取得された情報に従って自律ＵＬ送信を行う。ある特定の実施形態では、無線デバイスによる自律ＵＬ送信に対する信号送信設定に関連している情報は、自律ＵＬ送信を行う時に無線デバイスによって回避されるべきである１つまたは複数のサブフレームについての情報をさらに含んでよい。このようなシナリオでは、無線デバイスは、回避されるべきである１つまたは複数のサブフレームについての情報に基づいて自律ＵＬ送信を行う時に１つまたは複数のサブフレームを回避することができる。
【００６８】
別の例示の実施形態によると、ネットワークノード（例えば、ｅＮＢ）における方法が開示される。ネットワークノードは、無線デバイスによる自律ＵＬ送信に対する信号送信設定に関連している情報を判断する。情報は、ネットワークと無線デバイスとの間で確立される少なくとも１つのセカンダリセル上で自律ＵＬ送信を行う際に無線デバイスによって使用される事前割り当てリソースのセット、および事前割り当てリソースのセットと関連付けられた周期性を含んでよい。ある特定の実施形態では、無線デバイスによる自律ＵＬ送信に対する信号送信設定に関連している情報は、自律ＵＬ送信を行う時に無線デバイスによって回避されるべきである１つまたは複数のサブフレームについての情報をさらに含んでよい。ネットワークノードは、無線デバイスが、信号送信設定に関連している判断された情報に従って自律ＵＬ送信を行うように設定する。
【００６９】
本開示のある特定の実施形態は、１つまたは複数の技術的利点を提供することができる。例えば、ある特定の実施形態は、有利には、ＬＴＥシステムが、とりわけ、アンライセンススペクトルにおいてそのＵＬチャネルアクセスを向上させることを可能にしてよい。別の例として、ある特定の実施形態は、有利には、低負荷条件でＵＬレイテンシを削減し、ＵＬアクセスに対してチャネル利用を増大させることができる。さらなる別の例として、ある特定の実施形態は、負荷のある状況でアンライセンスチャネルに対する競合を削減することができる。なお別の例として、ある特定の実施形態は、アンライセンススペクトルにおけるＬＴＥの効率を改善することができ、さらにまた、Ｗｉ−Ｆｉおよびアンライセンススペクトル（ＬＴＥ−Ｕ、ＬＡＡおよび／またはスタンドアローンＬＴＥ）ネットワークにおける他のＬＴＥといった、他の併置されたネットワークとのスペクトル共存の利益を得てこれをサポートすることができる。他の利点は当業者には容易に明らかにすることができる。ある特定の実施形態は、記載した利点のいずれも有さない場合があり、一部または全てを有する場合がある。
【００７０】
図８は、ある特定の実施形態による、ネットワーク１００の一実施形態を示すブロック図である。ネットワーク１００は、１つまたは複数の無線デバイス１１０（例えば、ＵＥ）および１つまたは複数のネットワークノード１１５（例えば、ｅＮＢ）を含む。無線デバイス１１０は、無線インターフェース上でネットワークノード１１５と通信することができる。例えば、無線デバイス１１０は、無線信号をネットワークノード１１５の１つまたは複数に送信する、および／または無線信号をネットワークノード１１５の１つまたは複数から受信することができる。無線信号は、音声トラフィック、データトラフィック、制御信号、および／または任意の他の適した情報を含有してよい。いくつかの実施形態では、ネットワークノード１１５と関連付けられた無線信号カバレッジの範囲は、セル１２５と称される場合がある。無線デバイス１１０は、ＬＡＡおよびＣＡ動作を行うことが可能であってよく、ライセンススペクトルおよびアンライセンススペクトル両方において動作することが可能であってよい。いくつかの実施形態では、無線デバイス１１０は、デバイスツーデバイス（Ｄ２Ｄ）能力を有してよい。よって、無線デバイス１１０は、別の無線デバイスに対する信号の受信および／または信号の送信を直接行うことを可能としてよい。
【００７１】
ある特定の実施形態では、ネットワークノード１１５は、無線ネットワークコントローラとインターフェース接続してよい。無線ネットワークコントローラは、ネットワークノード１１５を制御してよく、ある特定の無線リソース管理機能、モビリティ管理機能、および／または他の適した機能を提供することができる。ある特定の実施形態では、無線ネットワークコントローラの機能は、ネットワークノード１１５に含まれてよい。無線ネットワークコントローラは、コアネットワークノードとインターフェース接続してよい。ある特定の実施形態では、無線ネットワークコントローラは、相互接続ネットワーク１２０を介してコアネットワークノードとインターフェース接続してよい。相互接続ネットワーク１２０は、オーディオ、ビデオ、信号、データ、メッセージ、または前述の任意の組み合わせを送信可能である任意の相互接続システムに言及することができる。相互接続ネットワーク１２０は、公衆交換電話網（ＰＳＴＮ）、公衆またはプライベートデータネットワーク、ローカルエリアネットワーク（ＬＡＮ）、メトロポリタンエリアネットワーク（ＭＡＮ）、ワイドエリアネットワーク（ＷＡＮ）、インターネットなどのローカル、地域、もしくはグローバル通信またはコンピュータネットワーク、有線または無線ネットワーク、企業イントラネット、あるいは、これらの組み合わせを含む任意の他の適した通信リンクの全てまたは一部分を含むことができる。
【００７２】
いくつかの実施形態では、コアネットワークノードは、通信セッションの確立、および無線デバイス１１０に対するさまざまな他の機能性を管理することができる。無線デバイス１１０は、非アクセス層を使用してある特定の信号をコアネットワークノードと交換してよい。非アクセス層シグナリングにおいて、無線デバイス１１０とコアネットワークノードとの間の信号は、無線アクセスネットワークを透過的に通過してよい。ある特定の実施形態では、ネットワークノード１１５は、例えば、Ｘ２インターフェースといった、ノード間インターフェース上で１つまたは複数のネットワークノードとインターフェース接続してよい。
【００７３】
上述されるように、ネットワーク１００の例示の実施形態は、１つまたは複数の無線デバイス１１０、および、無線デバイス１１０と（直接または間接的に）通信することが可能な１つまたは複数の種々のタイプのネットワークノードを含んでよい。
【００７４】
いくつかの実施形態では、非限定的な用語の無線デバイスが使用される。本明細書に説明される無線デバイス１１０は、ネットワークノード１１５および／または別の無線デバイスと無線で通信するように可能とされる、設定される、配置される、および／または動作可能な任意のタイプの無線デバイスとすることができる。無線で通信することは、電磁信号、電波、赤外線信号、および／または無線によって情報を伝達するのに適した他のタイプの信号を使用して無線信号を送信することおよび／または受信することを伴ってよい。特定の実施形態では、無線デバイス１１０は、人と直接対話することなく情報を送信および／または受信するように設定されてよい。例えば、無線デバイス１１０は、内部イベントまたは外部イベントによってトリガされる時、またはネットワークからの要求に応答して、所定のスケジュールでネットワークに情報を送信するように設計されてよい。一般的に、無線デバイス１１０は、無線通信が可能な、設定される、配置される、および／または動作可能な任意のデバイス、例えば、無線通信デバイスを表してよい。無線デバイス１１０の例として、スマートフォンなどのＵＥが挙げられるが、これに限定されない。さらなる例には、無線カメラ、無線対応タブレットコンピュータ、モバイル端末、ラップトップ埋め込み機器（ＬＥＥ）、ラップトップ搭載機器（ＬＭＥ）、ＵＳＢドングル、および／または、無線加入者宅内機器（ＣＰＥ）が挙げられる。無線デバイス１１０は、無線通信デバイス、対象デバイス、Ｄ２Ｄ  ＵＥ、マシン型通信（ＭＴＣ）ＵＥもしくはマシンツーマシン（Ｍ２Ｍ）通信対応ＵＥ、低費用および／もしくは低複雑性ＵＥ、ＵＥが装備されたセンサ、または任意の他の適したデバイスであってもよい。無線デバイス１１０は、通常のカバレッジ、またはこのサービングセルに対して増大されたカバレッジのどちらかのもとで動作してよい。増大されたカバレッジは、拡張されたカバレッジと区別なく称されてよい。ＵＥ１１０は、複数のカバレッジレベル（例えば、通常のカバレッジ、増大されたカバレッジレベル１、増大されたカバレッジレベル２、および増大されたカバレッジレベル３など）で動作してもよい。場合によって、ＵＥ１１０はカバレッジ外のシナリオで動作してもよい。
【００７５】
１つの具体的な例として、無線デバイス１１０は、３ＧＰＰのＧＳＭ、ＵＭＴＳ、ＬＴＥ、および／または５Ｇ標準といった、３ＧＰＰによって公表された１つまたは複数の通信標準に従った通信に向けて設定されたＵＥを表すことができる。本明細書で使用されるように、「ＵＥ」は、必ずしも、関連デバイスを所有するおよび／または動作させる人間のユーザの意味での「ユーザ」ではない場合がある。代わりに、ＵＥは、人間のユーザへの販売または人間のユーザによる動作を対象とするが、最初に具体的な人間のユーザと関連付けられていない場合があるデバイスを表してよい。
【００７６】
無線デバイス１１０は、例えば、サイドリンク通信に対する３ＧＰＰ標準を実装することによってＤ２Ｄ通信をサポートしてよく、この場合、Ｄ２Ｄ通信デバイスと称される場合がある。
【００７７】
なお別の具体的な例として、モノのインターネット（ＩＯＴ）シナリオにおいて、無線デバイス１１０は、モニタリングおよび／または測定を行い、かつこのようなモニタリングおよび／または測定の結果を別の無線デバイスおよび／またはネットワークノードに送信するマシンまたは他のデバイスを表してよい。無線デバイスは、この場合、３ＧＰＰコンテキストではＭＴＣデバイスと称される場合があるＭ２Ｍデバイスであってよい。１つの特定の例として、無線デバイス１１０は、３ＧＰＰ狭帯域のモノのインターネット（ＮＢ−ＩｏＴ）標準を実装するＵＥであってよい。このようなマシンまたはデバイスの特定の例は、センサ、電力計などの計量デバイス、産業機械、または家庭電化製品もしくは個人用器具（例えば、冷蔵庫、テレビ、時計などの個人用ウェアラブルなど）である。他のシナリオでは、無線デバイス１１０は、この動作ステータスについてモニタリングおよび／または報告を行うことが可能である車両もしくは他の機器、またはこの動作と関連付けられた他の機能を表してよい。
【００７８】
上述されるような無線デバイス１１０は、無線接続のエンドポイントを表してよく、この場合、デバイスは無線端末と称される場合がある。さらに、上述されるような無線デバイス１１０はモバイルであってよく、この場合、モバイルデバイスまたはモバイル端末と称される場合もある。
【００７９】
また、いくつかの実施形態では、一般的用語「ネットワークノード」が使用される。本明細書で使用されるように、「ネットワークノード」は、無線デバイスに対する無線アクセスを可能にするおよび／または提供する無線通信ネットワークにおいて無線デバイスおよび／または他の機器と直接または間接的に通信するように可能とされる、設定される、配置される、および／または動作可能である機器に言及する。ネットワークノードの例には、アクセスポイント（ＡＰ）、特に、無線ＡＰが挙げられるがこれに限定されない。ネットワークノードは、無線基地局などの基地局（ＢＳ）を表すことができる。無線基地局の特定の例には、Ｎｏｄｅ  Ｂ、エボルブドＮｏｄｅ  Ｂ（ｅＮＢ）、およびｇＮＢが挙げられる。基地局は、提供するカバレッジの量（別の言い方をすれば、これらの送信電力レベル）に基づいて分類されてよく、さらにまた、フェムト基地局、ピコ基地局、マイクロ基地局、またはマクロ基地局と称されてもよい。「ネットワークノード」はまた、中央デジタルユニット、および／または、リモート無線ヘッド（ＲＲＨ）と称される時もあるリモートラジオユニット（ＲＲＵ）などの分散無線基地局の１つまたは複数の（または全ての）部分を含む。このようなリモートラジオユニットは、アンテナ一体型無線としてアンテナと一体化されてもよいし、されなくてもよい。分散無線基地局の部分は、分散アンテナシステム（ＤＡＳ）におけるノードと称される場合もある。
【００８０】
特定の非限定的な例として、基地局は、中継ノード、または中継器を制御する中継ドナーノードであってよい。
【００８１】
ネットワークノードのなおさらなる例には、マルチスタンダード無線（ＭＳＲ）ＢＳなどのＭＳＲの無線機器、無線ネットワークコントローラ（ＲＮＣ）または基地局コントローラ（ＢＳＣ）などのネットワークコントローラ、ベーストランシーバ基地局（ＢＴＳ）、送信ポイント、送信ノード、マルチセル／マルチキャスト連携エンティティ（ＭＣＥ）、コアネットワークノード（例えば、ＭＳＣ、ＭＭＥなど）、運用管理（Ｏ＆Ｍ）ノード、運用支援システム（ＯＳＳ）ノード、自己組織化ネットワーク（ＳＯＮ）ノード、位置決めノード（例えば、エボルブドサービングモバイルロケーションセンタ（Ｅ−ＳＭＬＣ））、走行試験の最小化（ＭＤＴ）、または任意の他の適したネットワークノードが挙げられる。しかしながら、より一般的には、ネットワークノードは、無線デバイスの無線通信ネットワークへのアクセスを可能にするおよび／または提供するように、または無線通信ネットワークにアクセスしている無線デバイスに何らかのサービスを提供するように、可能とされる、設定される、配置される、および／または動作可能な任意の適したデバイス（またはデバイス群）を表してよい。
【００８２】
ネットワークノードおよび無線デバイスなどの専門用語は、非限定的とみなされるべきであり、特に、この２つの間にある特定の階層的な関係を示唆するものではなく、一般に、「ネットワークノード」がデバイス１として、「無線デバイス」がデバイス２としてみなされ得、これら２つのデバイスは、ある無線チャネル上で互いに通信する。
【００８３】
無線デバイス１１０、ネットワークノード１１５、および（無線ネットワークコントローラまたはコアネットワークノードなどの）他のネットワークノードの例示の実施形態について、図１２〜図１６に関して以下により詳細に説明する。
【００８４】
図８は、ネットワーク１００の特定の配置を示すが、本開示は、本明細書に説明されるさまざまな実施形態が任意の適した設定を有するさまざまなネットワークに適用されてよいことを意図している。例えば、ネットワーク１００は、任意の適した数の無線デバイス１１０およびネットワークノード１１５、ならびに、無線デバイスの間、または無線デバイスと（固定電話などの）別の通信デバイスとの間の通信をサポートするのに適した任意の追加のエレメントを含んでよい。また、ある特定の実施形態がＬＴＥ／ＭｕｌｔｅＦｉｒｅネットワークにおいて実装されると説明可能であるが、実施形態は、（５Ｇ標準を含む）任意の適した通信標準をサポートし、かつ任意の適したコンポーネントを使用する任意の適切なタイプの電気通信システムにおいて実装されてよく、無線デバイスが信号（例えば、データ）を受信するおよび／または送信する任意の無線アクセス技術（ＲＡＴ）またはマルチＲＡＴシステムに適用可能である。例えば、本明細書に説明されるさまざまな実施形態は、ＬＴＥ、ＬＴＥ−Ａｄｖａｎｃｅｄ、アンライセンススペクトルにおけるＬＴＥ（ＬＴＥ−Ｕ）、ＭｕｌｔｅＦｉｒｅ、ＮＲ、５Ｇ、ＩｏＴ、ＮＢ−ＩｏＴ、ＵＭＴＳ、ＨＳＰＡ、ＧＳＭ、ｃｄｍａ２０００、ＷＣＤＭＡ、ＷｉＭａｘ、ＵＭＢ、ＷｉＦｉ、別の適した無線アクセス技術、または、１つまたは複数の無線アクセス技術の任意の適した組み合わせに適用可能であってよい。衝突回避適応を有する自律送信システムの設計および関連の実施形態は、本明細書では例としてＬＡＡ／ＭｕｌｔｅＦｉｒｅ  ＵＬを使用して説明可能であるが、本開示はこれらの例に限定されない。もっと正確に言えば、本開示は、本明細書に説明されるさまざまな実施形態が他のシステムのみならず、ＤＬまたはサイドリンクに適用されてよいことを意図している。
【００８５】
上述されるように、本開示は、自律ＵＬ送信に対する既存の手法と関連しているある特定の不備に対処することができるさまざまな実施形態を意図している。場合によって、ＬＴＥ仕様のＳＰＳ／ＩＵＡ特徴は、ＬＡＡおよびＭｕｌｔｅＦｉｒｅシステムに対する効果的な自律ＵＬ送信プロトコルをサポートするために修正される。例えば、ある特定の実施形態では、ＳＰＳ／ＩＵＡ特徴は、セカンダリセルに拡張されてよい。場合によって、無線デバイス１１０は、１ｍｓのＳＰＳ周期性で設定可能であり、全帯域幅で送信可能とされてよい。別の例として、ＳＰＳ周期性設定は、（ｅ）ＰＤＣＣＨ／ＣＰＤＣＣＨ上で更新されてよい。
【００８６】
ある特定の実施形態では、無線デバイス１１０（例えば、無線デバイス１１０Ａ）は、無線デバイス１１０Ａによる自律ＵＬ送信に対する信号送信設定に関連している情報を取得する。信号送信設定に関連している情報は、無線デバイス１１０Ａと、ネットワークノード１１５Ａなどのネットワークノード１１５との間で確立される少なくとも１つのセカンダリセル上で自律ＵＬ送信を行う際に無線デバイス１１０Ａによって使用される事前割り当てリソースのセット、および事前割り当てリソースのセットと関連付けられた周期性を含む。無線デバイス１１０Ａは、信号送信設定に関連している取得された情報に従って自律ＵＬ送信を行う。
【００８７】
ある特定の実施形態では、無線デバイス１１０Ａによる自律ＵＬ送信に対する信号送信設定に関連している情報は、自律ＵＬ送信を行う時に無線デバイス１１０Ａによって回避されるべきである１つまたは複数のサブフレームについての情報を含む。場合によって、自律ＵＬ送信に対する信号送信設定に関連している情報は、１つまたは複数のタイプのサブフレームを特定し、かつ、無線デバイス１１０Ａが自律ＵＬ送信を行う時にこれらのサブフレームを回避するべきであることを指示してよい。これは、有利には、ＳＰＳ／ＩＵＡにおける既存の手法とは違って、無線デバイス１１０Ａが、自律ＵＬ送信を行う時に特定的なサブフレームを自動的に回避可能としてよい。
【００８８】
無線デバイス１１０Ａは、任意の適したタイプのサブフレームを回避するように設定されてよい。１つの例として、無線デバイス１１０Ａは、ネットワークノード１１５ＡがＤＲＳを送信するために使用するサブフレームを回避することができる。ある特定の実施形態では、ＤＲＳサブフレームの前のサブフレームはまた、無線デバイス１１０Ａによって回避されてよい。別の例として、無線デバイス１１０Ａは、ＤＭＴＣウィンドウ内の全てのサブフレーム、およびこのウィンドウの前のサブフレームを回避してよい。さらなる別の例として、無線デバイス１１０Ａは、ＤＲＳサブフレームが受信されるまで、ＤＭＴＣウィンドウ内のサブフレーム、およびこのウィンドウの前のサブフレームを回避してよい。なお別の例として、無線デバイス１１０Ａは、測定ギャップとして設定される１つまたは複数のサブフレームを回避してよい。別の例として、無線デバイス１１０Ａは、無線デバイス１１０Ａにリソースを割り当てるために２ステージグラントがネットワークノード１１５Ａによって使用される時に第１のトリガおよび第２のトリガの受信の間の全てのサブフレームを回避してよい。
【００８９】
無線デバイス１１０Ａは、任意の適したやり方で信号送信設定に関連している情報を取得することができる。１つの例として、ある特定の実施形態では、ネットワークノード１１５Ａは、無線デバイス１１０Ａによる自律ＵＬ送信に対する信号送信設定に関連している情報を判断し、かつ無線デバイス１１０Ａが、信号送信設定に関連している判断された情報に従って自律ＵＬ送信を行うように設定することができる。場合によって、ネットワークノード１１５Ａは、無線デバイス１１０Ａが、信号送信設定に関連している判断された情報を無線デバイス１１０Ａに送ることによって信号送信設定に関連している判断された情報に従って自律ＵＬ送信を行うように設定することができる。場合によって、ネットワークノード１１５Ａは、無線デバイス１１０Ａが、無線デバイス１１０Ａによる自律ＵＬ送信に適用可能なサブフレームパターンの指示を無線デバイス１１０Ａに送ることによって、判断された情報に従って自律ＵＬ送信を行うように設定することができる。サブフレームパターンの指示は任意の適した形式であってよい。ある特定の実施形態では、例えば、サブフレームパターンの指示はビットマップであってよい。
【００９０】
別の例として、無線デバイス１１０Ａは、信号送信設定に関連している情報を自律的に取得することができる。例えば、信号送信設定に関連している情報は、（例えば、製造時に）無線デバイス１１０Ａにおいて事前設定されてよい。このようなシナリオでは、例えば、ＤＲＳ、ＤＭＴＣウィンドウ、測定ギャップに使用されるサブフレーム、および／または２ステージグラントの第１のトリガおよび第２のトリガに使用されるサブフレームを判断する際に、無線デバイス１１０Ａは、これらのサブフレームの１つまたは複数において自律ＵＬ送信を自動的に回避することができる。
【００９１】
ある特定の実施形態では、自律ＵＬ送信を可能にするために、無線デバイス１１０Ａは、サブフレームのセット内、またはフレーム内のある特定のサブフレームに対してＳＰＳ／ＩＵＡで設定されてよい。場合によって、設定されたサブフレームパターンは、新しいサブフレームのセットまたはフレーム全てに対して繰り返してよい。ある特定の実施形態では、設定されたパターンは、例えば、上述されるようなネットワークノード１１５Ａから受信されるビットマップにおけるビットマップによって指示されてよい。
【００９２】
上記のように、自律ＵＬ送信は、無線デバイス１１０のＵＬ送信が、高負荷で特別に調整されていないため、多数の衝突をもたらす可能性がある。ある特定の実施形態では、無線デバイス１１０（無線デバイス１１０Ａおよび１１０Ｂなど）を、種々のサブフレームにおいて送信を開始する優先度を循環させる自律ＵＬ送信で設定されるようにすることによって、対処可能である。
【００９３】
ＬＴＥシステムにおいて、ある特定の可能とされた送信開始点は規定される（例えば、サブフレームごとに一度または二度）。ＬＢＴ手順に対するバックオフ（ＢＯ）カウンタは、許可送信期間外（フリーズ期間と称する）に連続的に低減されてよいし、されなくてもよい。それにもかかわらず、ＬＢＴ手順がフリーズ期間中に終了する場合、送信は、即座に開始できず、むしろ、次の許可送信期間まで見送られる。
【００９４】
スケジューリングされた挙動の場合、バックオフカウンタを（フリーズ期間内でも）連続的に低減する手法が使用されてよい。このようなシナリオでは、カウンタが「許可送信期間」内で０に達する場合、無線デバイス１１０による送信はその時点で始められてよい。カウンタがフリーズ期間内で１に達する場合、無線デバイス１１０による送信は次の許可送信期間に見送られる。このようなシナリオでは、無線デバイス１１０は、送信が開始する前の最終ＣＣＡを受け、この場合、最終ＣＣＡ＝最小検知時間＋１  ＣＣＡスロットである。ある特定の実施形態では、最小検知時間は２５μｓであり、それぞれのＣＣＡスロットは、５ＧＨｚまたは２．４ＧＨｚ帯域におけるＬＡＡおよびＭｕｌｔｅＦｉｒｅ動作に対して９μｓである。
【００９５】
自律ＵＬに対して、同時に送信しようとする無線デバイス１１０の数は、ネットワークノード１１５によって制御されない。例えば、異なる初期バックオフ値を有する２つの無線デバイス１１０（例えば、無線デバイス１１０Ａおよび１１０Ｂ）は、フリーズ期間中に異なる点でバックオフを終了する場合、両方共、次に可能な許可送信期間まで延期されることになる。両方共、最終ＣＣＡチェックを行うことになる。両方のＣＣＡチェックが成功する場合、同時送信を開始し、衝突することになる。
【００９６】
この問題を克服し、かつ種々の無線デバイス１１０が送信を同時に開始する機会を低減するために、ある特定の実施形態では、ネットワークノード１１５（ネットワークノード１１５Ａなど）は、空ではないＵＬバッファを有する無線デバイス１１０（例えば、無線デバイス１１０Ａおよび１１０Ｂ）に対して可能な限り早期の送信時間に広げることができる。これは、次に可能な許可送信期間の前に異なる検知継続時間を無線デバイス１１０Ａおよび１１０Ｂにアサインすることによって実現可能である（すなわち、最終ＣＣＡ＝最小検知時間＋ＢＯスロット継続時間＊オフセット）。異なる検知継続時間（すなわち、オフセット値）を無線デバイス１１０Ａおよび１１０Ｂにアサインすることによって、これは、有利には、無線デバイス１１０Ａおよび１１０Ｂに、次の送信期間においてチャネルにアクセスするための異なる優先度を付けることになる。例えば、無線デバイス１１０Ａがより小さいオフセット値を有する場合、いずれの他の進行中の干渉によっても延期されない場合、無線デバイス１１０Ａは、その最終ＣＣＡを最も早く終了し、かつより高いオフセット値を有する他の無線デバイス１１０（無線デバイス１１０Ｂなど）の前にチャネルを入手することになる。無線デバイス１１０Ａは、データ送信が開始する次の許可送信境界の前に信号を送信することによってチャネルを入手する。
【００９７】
無線デバイス１１０Ａおよび１１０Ｂは、任意の適したやり方でこれらのそれぞれのオフセット値を取得してよい。ある特定の実施形態では、無線デバイス１１０Ａおよび１１０Ｂによって取得された自律ＵＬ送信に対する信号送信設定に関連している情報は、オフセット値を含んでよい。上記のように、ある特定の実施形態では、無線デバイス１１０Ａおよび１１０Ｂの１つまたは複数は、オフセット値を含む、自律ＵＬ送信に対する信号送信設定に関連している情報を自律的に取得することができる。このようなシナリオでは、無線デバイス１１０Ａおよび１１０Ｂの１つまたは複数は、（例えば、ランダムに、または１つまたは複数の事前規定された規則に従って）オフセット値を自律的に選択することができる。
【００９８】
上記のように、ある特定の実施形態では、無線デバイス１１０Ａおよび１１０Ｂの１つまたは複数は、（例えば、ネットワークノード１１５Ａが信号送信設定に関連している情報を判断し、かつ無線デバイス１１０Ａおよび１１０Ｂの１つまたは複数が、信号送信設定に関連している判断された情報に従って自律ＵＬ送信を行うように設定する時）オフセット値を含む、自律ＵＬ送信に対する信号送信設定に関連している情報をネットワークノード１１５Ａから取得することができる。このようなシナリオでは、ネットワークノード１１５Ａは、オフセット値を含む、信号送信設定に関連している判断された情報を無線デバイス１１０Ａおよび１１０Ｂの１つまたは複数に送ることができる。
【００９９】
ある特定の実施形態では、手法の組み合わせが使用されてよい。例えば、無線デバイス１１０Ａおよび１１０Ｂの１つまたは複数は、自律ＵＬ送信に対する信号送信設定に関連している情報をネットワークノード１１５Ａから取得することができる。ネットワークノード１１５Ａから取得された信号送信設定に関連している情報は、無線デバイス１１０Ａおよび１１０Ｂの１つまたは複数が自律ＵＬ送信を行う際にオフセット値を使用できるという指示を含んでよい。オフセット値が自律ＵＬ送信を行う際に使用できるという指示を受信していることで、無線デバイス１１０Ａおよび１１０Ｂの１つまたは複数は、（例えば、ランダムに、または１つまたは複数の事前規定された規則に従って）オフセット値を自律的に選択して上述されるように使用可能である。無線デバイス１１０Ａおよび１１０Ｂが、オフセット値を含んでよい、自律ＵＬ送信に対する信号送信設定に関連している情報を、同じやり方でまたは異なるやり方で取得してよいことは、留意されたい。
【０１００】
ある特定の実施形態では、優先度は静的に規定されてよい。例えば、ネットワークノード１１５Ａはオフセットを設定するためにＳＰＳグラントを使用してよい。この例示の手法では、無線デバイス１１０Ａおよび１１０Ｂは、ネットワークノード１１５Ａがオフセット値を更新するための新しいＳＰＳグラントを送らなければ、優先度は固定されることになる。ネットワークノード１１５Ａは、例えば、（ｅ）ＰＤＣＣＨを使用してオフセット値を更新してよい。場合によって、優先度は動的に規定されてよい。このようなシナリオでは、無線デバイス１１０Ａおよび１１０Ｂの間のアクセス優先度は循環される。無線デバイス１１０Ａおよび１１０Ｂのそれぞれは、オフセットおよびｒｏｔａｔｉｏｎ＿ｐｅｒｉｏｄｉｃｉｔｙを取得する。無線デバイス１１０Ａおよび１１０Ｂは、サブフレームｎにおけるこれらのそれぞれの効果的なオフセットを、
ｅｏｆｆｓｅｔ＝（ｏｆｆｓｅｔ＋ｎ）ｍｏｄ  ｐｅｒｉｏｄｉｃｉｔｙ      （１）
として算出することができる。無線デバイス１１０Ａおよび１１０Ｂは、さらにまた、最小検知時間＋ｅｏｆｆｓｅｔ  ＣＣＡスロットの最終ＣＣＡを行う。場合によって、ｒｏｔａｔｉｏｎ＿ｐｅｒｉｏｄｉｃｉｔｙは、空ではないＵＬバッファを有する無線デバイス１１０の数に等しいように設定可能である。場合によって、ｒｏｔａｔｉｏｎ＿ｐｅｒｉｏｄｉｃｉｔｙは、空ではないＵＬバッファを有する無線デバイス１１０の数より多い数に設定可能である。すなわち、ｒｏｔａｔｉｏｎ＿ｐｅｒｉｏｄｉｃｉｔｙは、頻繁にシグナリングされる必要はない。例えば、周期性が４に設定され、かつ残りのアクティブなＵＬ無線デバイス１１０の数が２に低減される場合でも、優先度循環は依然機能することになる。
【０１０１】
無線デバイス１１０Ａおよび１１０Ｂは、任意の適したやり方で周期性を取得することができる。１つの例として、無線デバイス１１０Ａおよび１１０Ｂは、周期性を自律的に取得してよい。別の例として、ある特定の実施形態では、ネットワークノード１１５Ａは、共通物理ダウンリンク制御チャネル（ＣＰＤＣＣＨ）を介して無線デバイス１１０Ａおよび１１０Ｂに周期性をシグナリングしてよい。さらに別の例として、周期性は、上位層シグナリング（例えば、ＬＴＥ  ＲＲＣシグナリング）を介して設定されてよい。別の例として、ある特定の実施形態では、周期性はある特定の値に固定されてよい。このようなシナリオでは、周期性の値は、例えば、５などの任意の適した値に固定されてよい。
【０１０２】
無線デバイス１１０がそれらの自律ＵＬ送信を同時に開始しないようにする他の手法が可能である。例えば、異なる無線デバイス１１０がそれらの自律ＵＬ送信を異なる時間に開始することを保証することは、また、無線デバイス１１０がフリーズ期間中にそれらのランダムバックオフカウンタをカウントダウンせず、代わりに、チャネルを検知し、かつ送信が可能とされる期間中にのみこのカウンタをカウントダウンする場合に、実現可能である。無線デバイス１１０は、ゼロまでカウントダウンする時、送信できる。これによって、データ送信が開始する次の可能な境界の前に異なる無線デバイス１１０に対する開始時間がランダム化される。
【０１０３】
ある特定の実施形態では、無線デバイス１１０は、フリーズ期間中に固定数のスロットでそのバックオフカウンタを、例えば、その競合ウィンドウサイズに基づいて、デクリメントすることを可能とされてよい。このようなシナリオでは、無線デバイス１１０は、送信が可能とされる期間中にのみスロットの残りをカウントダウンする。例えば、無線デバイス１１０Ａが１５の競合ウィンドウサイズを有する場合、無線デバイス１１０Ａはフリーズ期間内に５スロットのみカウントダウン可能にすることができ、残りのスロットは、送信が可能とされる期間中にカウントダウンされなければならない。
【０１０４】
場合によって、例えば、セル（例えば、セル１２５Ａ）における負荷状況に基づいて、ＵＬアクセスを、不定期自律送信からスケジュールベースアクセスに（その逆も同様に）適応させることが、ネットワークノード１１５（例えば、ネットワークノード１１５Ａ）に取って有益である場合がある。上記のように、高負荷では、自律ＵＬ送信は、多数の衝突およびより長い延期をもたらす可能性がある。このようなシナリオでは、ネットワークノード１１５Ａを、その挙動を不定期の自律ベースＵＬアクセスからスケジュールベースアクセスへと段階的に適応させることが有益であることが考えられる。場合によって、低負荷状況などにおいて、無線デバイス１１０の挙動をスケジュールベースアクセスから不定期の自律ベースＵＬアクセスへと適応させることは、同様に有益である場合がある。ある特定の実施形態では、ネットワークノード１１５Ａは、ＬＡＡおよび／またはスタンドアローンＬＴＥにおいて、システム挙動を、不定期の自律ベースＵＬ送信からスケジュールベースアクセスへと（その逆もまた同様に）段階的に適応させてよい。後述される手順の１つまたは複数を採用することは、有利には、無線デバイス１１０の間の衝突を回避することによって、ＬＡＡまたはスタンドアローンＬＴＥにおけるＵＬ性能を改善することができる。
【０１０５】
自律ＵＬは、全ての無線デバイス１１０に対する周波数および時間領域において同じリソースをオーバーブッキングすることに基づく。これは、同じセル１２５における無線デバイス１１０がチャネルにアクセスするのに互いに競合することになることを意味する。これによって、複数の無線デバイス１１０が同じサブフレーム中に送信を開始することによるより高い衝突率が導入される可能性がある。これは、例えば、無線デバイス１１０が同じ延期時間を有すること、および／または無線デバイス１１０が（例えば、隠れたノードにより）互いの送信を聞かないことによる可能性がある。
【０１０６】
ネットワークノード１１５が（例えば、非常に低い信号対干渉雑音比（ＳＩＮＲ）により）無線デバイス１１０の送信を特定しない場合、ネットワークノード１１５は、無線デバイス１１０によって報告されなければ、無線デバイス１１０が送信できないことを判断できない。
【０１０７】
ある特定の実施形態では、ネットワークノード１１５（例えば、ネットワークノード１１５Ａ）は、ある特定の無線デバイス１１０または全ての無線デバイス１１０に対して完全な自律ＵＬ挙動をいつでも一時停止することができる。これは、さまざまなやり方で実現可能である。ネットワークノード１１５Ａは、１つまたは複数の無線デバイス１１０に、無線デバイス１１０が自律ＵＬ送信を非アクティブ化するべきであることの指示を送ることができる。１つの例として、ネットワークノード１１５Ａは、（例えば、ＰＤＣＣＨ上の）ＳＰＳ非アクティブ化コマンドを１つまたは複数の無線デバイス１１０に送ることができる。別の例として、ネットワークノード１１５Ａは、古いＳＰＳグラントを新しいＳＰＳグラントで上書きすることができる。新しいＳＰＳグラントは、より低い周期性および／または帯域幅の一部を有してよい。非アクティブ化コマンドおよび／または新しいＳＰＳグラントは、任意の適したやり方でシグナリングされてよい。１つの例として、シグナリングは、全ての無線デバイス１１０または無線デバイス１１０群に対してブロードキャストタイプの制御シグナリングによって行われてよい。別の例として、シグナリングは、全ての無線デバイス１１０または無線デバイス１１０のサブセットに対して複数の専用制御シグナリングによって行われてよい。
【０１０８】
ネットワークノード１１５Ａは、１つまたは複数の無線デバイス１１０が、任意の適した基準に基づいて、自律ＵＬ送信を非アクティブ化しかつスケジュールベースアクセスに切り換えるべきであることを判断してよい。１つの例として、１つまたは複数の無線デバイス１１０に対する自律ＵＬ挙動を一時停止する決定は、ネットワークノード１１５Ａにおけるバッファステータス、トラフィックタイプ、およびバッファ増強のうちの１つまたは複数に基づいてよい。例えば、ネットワークノード１１５ＡがサーブするべきＤＬデータを有する、またはＤＬバッファが増大している場合、ネットワークノード１１５Ａは、チャネルにアクセスするこれ自体のユーザによる競合を回避するために１つまたは複数の無線デバイス１１０に対する自律ＵＬ挙動を非アクティブ化してよい。さらに、ＤＬトラフィックタイプが高い優先度を有する時、ネットワークノード１１５Ａは、要件（例えば、データ速度または遅延）の履行を保証するために全ての無線デバイス１１０に対する自律ＵＬ挙動を非アクティブ化することができる。
【０１０９】
別の例として、１つまたは複数の無線デバイス１１０に対する自律ＵＬ挙動を一時停止する決定は、ネットワークノード１１５Ａによってモニタリング可能であるチャネルの清浄度に基づいてよい。例えば、ネットワークノード１１５Ａは、ＵＬが受信したパケットのＳＩＮＲをモニタリングし、かつこれをある特定の閾値と比較することができる。この比較は任意の適したやり方で行われてよい。ある特定の実施形態では、この比較は、瞬間的なＳＩＮＲを考慮して、またはある特定の期間にわたってＮのＳＩＮＲサンプルの平均を取ることによって、行われ得る。場合によって、この比較は、単一の無線デバイスレベルで、またはセルレベルで行われ得る。さらなる例として、この決定は、失敗した送信の比率、セルにおける平均干渉電力レベル、および検知されたエネルギーのうちの１つまたは複数に基づくことができる。
【０１１０】
別の例として、１つまたは複数の無線デバイス１１０に対する自律ＵＬ挙動を一時停止する決定は、空ではないＵＬバッファを有する無線デバイス１１０の数に基づいてよい。別の例として、１つまたは複数の無線デバイス１１０に対する自律ＵＬ挙動を一時停止する決定は、ある特定の１つまたは複数の無線デバイス１１０に対するＮＡＣＫ対ＡＣＫの比率に基づいてよい。場合によって、異なるＮＡＣＫ対ＡＣＫの比率の閾値は、スケジューリングされた自律的な無線デバイス１１０に対して考慮され得る。
【０１１１】
別の例として、１つまたは複数の無線デバイス１１０に対する自律ＵＬ挙動を一時停止する決定は、複数の無線デバイス１１０が同時にチャネルにアクセスしようとする場合のチャネルに対する衝突数に基づいてよい。ネットワークノード１１５Ａは、無線デバイス１１０からのＤＭＲＳ送信を検出することによって、複数の無線デバイス１１０が同時にチャネルにアクセスしようとする場合のチャネルに対する衝突をモニタリングしてよい。複数のＤＭＲＳ送信が検出される場合のリソースの割合がある特定の閾値を超える時、ネットワークノード１１５Ａは、１つまたは複数の無線デバイス１１０に対する自律ＵＬアクセスを一時停止してよい、または単に、自律ＵＬアクセスに利用可能なリソースの数を低減してより多くの無線デバイス１１０をスケジュールされたアクセスにシフトしてよい。ＤＭＲＳ検出は、先に列挙された技法のいずれかと併せて使用可能である。
【０１１２】
ネットワークノード１１５Ａが、アサインされるＳＰＳリソースについての無線デバイス１１０からのフィードバックを取得することは、有益である場合がある。ある特定の実施形態では、無線デバイス１１０は、ネットワークノード１１５に、スケジューリング要求をトリガすることによって自律ＵＬ挙動を一時停止することを求めることができる。
【０１１３】
自律ＵＬを使用している空ではないＵＬバッファを有する無線デバイス１１０（例えば、無線デバイス１１０Ａ）に対して、ネットワークノード１１５Ａは、無線デバイス１１０ＡからのＵＬ送信の受信に成功した最終時間からの時間分を追跡することができる。代替的には、無線デバイス１１０Ａは、サブフレーム内の複数のＤＭＲＳパターンの検出によって測定される衝突が生じるＵＬリソースの割合をモニタリングすることができる。上記の計量のいずれかがある特定の閾値より大きい（すなわち、無線デバイス１１０Ａが、多くの競合およびより長い延期継続時間によりチャネルにアクセスできない、または衝突数が非常に高かった）場合、ネットワークノード１１５Ａは以下の動作の１つまたは複数を行うことができる。１つの例として、ネットワークノード１１５Ａは、他の無線デバイス１１０に対して同じリソースをオーバーブッキングせずに無線デバイス１１０Ａに対してある特定のリソース（例えば、時間および周波数）を確保することができる。これには、ネットワークノード１１５Ａが、先のＳＰＳグラントを上書きする新しいＳＰＳグラントを送ることを要する場合がある。別の例として、ネットワークノード１１５Ａは、これをＳＰＳリソースの明示的な解放とみなしてよい。無線デバイス１１０Ａは、最後に成功したチャネルアクセスからの時間を追跡できるため、ＳＰＳリソースの非アクティブ化に気付くことになる。
【０１１４】
成功した自律ＵＬ送信の間の時間に対する閾値は、任意の適したやり方で設定可能である。非限定的な例として、ある特定の実施形態では、成功した自律ＵＬ送信の間の時間に対する閾値は、ＵＬトラフィックタイプ、または、セルにおけるアクティブで自律的な無線デバイス１１０の数に基づいて設定可能である。
【０１１５】
ＵＬにおけるスケジュールベースアクセスを使用してサーブされる無線デバイス１１０（または無線デバイス１１０群）について、ネットワークノード１１５Ａは１つまたは複数の無線デバイス１１０が不定期アクセスを使用するように段階的に切り換えることができる。１つまたは複数の無線デバイス１１０を不定期アクセスに切り換える決定は、任意の適したやり方で、かつ任意の適した基準に基づいてなされ得る。１つの例として、１つまたは複数の無線デバイス１１０を不定期アクセスに切り換える決定は、ネットワークノード１１５Ａにおけるバッファステータス、およびバッファ増強に基づいてなされてよい。ネットワークノード１１５Ａが、例えば、ＤＬデータをもはや有さない場合、自律ＵＬ挙動をアクティブにして、無線デバイス１１０が任意のサブフレームの間にチャネルにアクセスできるようにしてよい。
【０１１６】
別の例として、１つまたは複数の無線デバイス１１０を不定期アクセスに切り換える決定は、空でないＵＬバッファを有する無線デバイス１１０の数に基づいてよい。例えば、無線デバイス１１０Ａが単に、空でないバッファを有する残りの無線デバイスである場合、ネットワークノード１１５Ａは、無線デバイス１１０Ａに対する自律ＵＬをアクティブにすることができるが、これは、同じサービングセルにおいていずれの競合する無線デバイスも有さないからである。
【０１１７】
別の例として、１つまたは複数の無線デバイス１１０を不定期アクセスに切り換える決定は、チャネルの清浄度に基づいてよい。上記のように、ネットワークノード１１５Ａは、チャネルの清浄度をモニタリングすることができる。例えば、ネットワークノード１１５Ａは、ＵＬが受信したパケットのＳＩＮＲをモニタリングし、かつこれをある特定の閾値と比較することができる。この比較は任意の適したやり方で行われ得る。非限定的な例として、この比較は、瞬間的なＳＩＮＲを考慮して、またはある特定の期間にわたってＮのＳＩＮＲサンプルの平均を取ることによって、行われ得る。この比較は、単一の無線デバイスレベルで、またはセルレベルで行われ得る。場合によって、この決定は、失敗した送信の比率、セルにおける平均干渉電力レベル、または検知されたエネルギーに基づくことができる。
【０１１８】
別の例として、１つまたは複数の無線デバイス１１０を不定期アクセスに切り換える決定は、ある特定の１つまたは複数の無線デバイス１１０に対するＮＡＣＫ対ＡＣＫ比率に基づいてよい。別の例として、１つまたは複数の無線デバイス１１０を不定期アクセスに切り換える決定は、複数のＤＭＲＳ信号が検出されるＵＬサブフレームの割合によって測定される衝突率に基づいてよい。
【０１１９】
ある特定の実施形態では、ＳＰＳアサイン済みリソースについての決定は、チャネルの清浄度、最後に成功したチャネルアクセスからの時間分、無線デバイス１１０の競合ウィンドウのサイズ、ＮＡＣＫ対ＡＣＫの比率、およびＤＭＲＳ決定に基づく衝突率のうちの１つまたは複数に基づくことができる。
【０１２０】
図９はある特定の実施形態による信号フロー図である。より詳細には、図９は、無線デバイス１１０によって自律ＵＬ送信中に特定的なサブフレームを回避する例を示す信号フロー図である。ステップ９０４では、無線デバイス１１０は、無線デバイス１１０による自律ＵＬ送信に対する信号送信設定に関連している情報を取得する。図９の例示の実施形態では、無線デバイス１１０による自律ＵＬ送信に対する信号送信設定に関連している情報は、自律ＵＬ送信を行う時に無線デバイス１１０によって回避されるべきである１つまたは複数のサブフレームについての情報を含む。
【０１２１】
上述されるように、無線デバイス１１０は、自律ＵＬ送信を行う時に無線デバイス１１０によって回避されるべきである１つまたは複数のサブフレームについての情報を含む、信号送信設定に関連している情報を、さまざまなやり方で取得することができる。ある特定の実施形態では、ステップ９０４において、無線デバイス１１０は、信号送信設定に関連している情報を自律的に取得する。例えば、信号送信設定に関連している情報は（例えば、製造時に）無線デバイス１１０において事前設定されてよい。
【０１２２】
オプションとして、ある特定の実施形態では、ステップ９０２において、無線デバイス１１０は、自律ＵＬ送信を行う時に無線デバイス１１０によって回避されるべきである１つまたは複数のサブフレームについての情報を含む、信号送信設定に関連している情報を、ネットワークノード１１５から受信してよい。このようなシナリオでは、無線デバイス１１０は、自律ＵＬ送信を行う時に無線デバイス１１０によって回避されるべきである１つまたは複数のサブフレームについての情報を含む、信号送信設定に関連している情報を、ネットワークノード１１５から受信される信号送信設定情報から判断してよい。
【０１２３】
無線デバイス１１０は、任意の適したタイプのサブフレームを回避するように設定されてよい。１つの例として、無線デバイス１１０は、ネットワークノード１１５（例えば、ｅＮＢ）がＤＲＳを送信するために使用するサブフレームを回避することができる。ある特定の実施形態では、ＤＲＳサブフレームの前のサブフレームも回避されてよい。別の例として、無線デバイス１１０は、ＤＭＴＣウィンドウ内の全てのサブフレーム、およびこのウィンドウの前のサブフレームを回避してよい。さらに別の例として、無線デバイス１１０は、ＤＲＳサブフレームが受信されるまでの、ＤＭＴＣウィンドウ内のサブフレーム、およびこのウィンドウの前のサブフレームを回避してよい。なお別の例として、無線デバイス１１０は、測定ギャップとして設定される１つまたは複数のサブフレームを回避してよい。別の例として、無線デバイス１１０は、無線デバイス１１０にリソースを割り当てるために２ステージグラントがネットワークノード１１５によって使用される時に第１のトリガおよび第２のトリガの受信の間の全てのサブフレームを回避してよい。ある特定の実施形態では、無線デバイス１１０は、上述されるサブフレームの任意の適した組み合わせを回避してよい。
【０１２４】
ステップ９０８では、無線デバイス１１０は、信号送信設定に関連している取得された情報に基づいて回避する１つまたは複数のサブフレームを特定する。ステップ９１２では、無線デバイス１１０は、信号送信設定に関連している取得された情報によって指示される１つまたは複数の特定的なサブフレームを回避するように、自律ＵＬ送信を行う。
【０１２５】
図１０は、ある特定の実施形態による、無線デバイスにおける方法１０００のフロー図である。方法１０００は、ステップ１００４で開始し、ここで、無線デバイスは、無線デバイスによる自律アップリンク送信に対する信号送信設定に関連している情報であって、無線デバイスとネットワークノードとの間で確立される少なくとも１つのセカンダリセル上で自律アップリンク送信を行う際に無線デバイスによって使用される事前割り当てリソースのセット、および事前割り当てリソースのセットと関連付けられた周期性を含む、情報を取得する。ある特定の実施形態では、無線デバイスとネットワークノードとの間で確立された少なくとも１つのセカンダリセルは、アンライセンススペクトルにおけるものであってよい。ある特定の実施形態では、無線デバイスによる自律アップリンク送信に対する信号送信設定に関連している情報を取得することは、無線デバイスによる自律アップリンク送信に適用可能なサブフレームパターンの指示を受信することを含んでよい。サブフレームパターンの指示はビットマップであってよい。
【０１２６】
ある特定の実施形態では、無線デバイスによる自律アップリンク送信に対する信号送信設定に関連している情報は、自律アップリンク送信を行う時に無線デバイスによって回避されるべきである１つまたは複数のサブフレームについての情報をさらに含んでよい。自律アップリンク送信を行う時に無線デバイスによって回避されるべきである１つまたは複数のサブフレームについての情報は、ネットワークノードが発見参照信号を送信するために使用し、かつ無線デバイスが回避するべきであるサブフレームの指示、および、ネットワークノードが発見参照信号を送信するために使用し、かつ無線デバイスが回避するべきであるサブフレームの直前のサブフレームの指示のうちの１つまたは複数を含んでよい。自律アップリンク送信を行う時に無線デバイスによって回避されるべきである１つまたは複数のサブフレームについての情報は、発見参照信号測定タイミング設定ウィンドウ内であり、無線デバイスが回避するべきである全てのサブフレームの指示、発見参照信号測定タイミング設定ウィンドウ直前であり、無線デバイスが回避するべきであるサブフレームの指示、ならびに、無線デバイスが発見参照信号を受信するまでの、発見参照信号測定タイミング設定ウィンドウ内のサブフレーム、および、発見参照信号測定タイミング設定ウィンドウ直前であり、かつ無線デバイスが回避するべきであるサブフレームの指示のうちの１つまたは複数を含んでよい。自律アップリンク送信を行う時に無線デバイスによって回避されるべきである１つまたは複数のサブフレームについての情報は、測定ギャップとして設定され、かつ無線デバイスが回避するべきである１つまたは複数のサブフレームの指示を含んでよい。自律アップリンク送信を行う時に無線デバイスによって回避されるべきである１つまたは複数のサブフレームについての情報は、無線デバイスにリソースを割り当てるために２ステージグラントがネットワークノードによって使用される時に第１のトリガおよび第２のトリガの受信の間であり、無線デバイスが回避するべきである１つまたは複数のサブフレームの指示を含んでよい。
【０１２７】
ある特定の実施形態では、無線デバイスによる自律アップリンク送信に対する信号送信設定に関連している情報は、次の許可送信期間の前に無線デバイスによって使用される検知継続時間の長さを判断するためのオフセット値、および循環周期性のうちの１つまたは複数を含んでよい。方法は、共通物理ダウンリンク制御チャネルおよび上位層シグナリングのうちの１つまたは複数によって、オフセット値および循環周期性のうちの少なくとも１つを受信することを含んでよい。ある特定の実施形態では、オフセット値は、自律アップリンク送信を行うための無線デバイスの優先レベルに対応する。
【０１２８】
ある特定の実施形態では、方法は、無線デバイスが自律アップリンク送信をアクティブ化するべきであることの指示を受信することを含んでよい。
【０１２９】
ステップ１００８では、無線デバイスは、信号送信設定に関連している取得された情報に従って自律アップリンク送信を行う。ある特定の実施形態では、方法は、無線デバイスが自律アップリンク送信を非アクティブ化するべきであることの指示を受信することを含んでよい。ある特定の実施形態では、無線デバイスが自律アップリンク送信を非アクティブ化するべきであることの指示、および無線デバイスが自律アップリンク送信をアクティブ化するべきであることの指示のうちの１つまたは複数は、ブロードキャストタイプの制御シグナリング、および専用制御シグナリングのうちの１つまたは複数にわたって受信されてよい。
【０１３０】
図１１は、ある特定の実施形態による、ネットワークノードにおける方法１１００のフロー図である。方法はステップ１１０４で開始し、ここで、ネットワークノードは、無線デバイスによる自律ＵＬ送信に対する信号送信設定に関連している情報であって、ネットワークノードと無線デバイスとの間で確立される少なくとも１つのセカンダリセル上で自律ＵＬ送信を行う際に無線デバイスによって使用される事前割り当てリソースのセット、および事前割り当てリソースのセットと関連付けられた周期性を含む、情報を判断する。ある特定の実施形態では、ネットワークノードと無線デバイスとの間で確立される少なくとも１つのセカンダリセルはアンライセンススペクトルにおけるものである。
【０１３１】
ある特定の実施形態では、無線デバイスによる自律ＵＬ送信に対する信号送信設定に関連している情報は、自律ＵＬ送信を行う時に無線デバイスによって回避されるべきである１つまたは複数のサブフレームについての情報をさらに含んでよい。自律ＵＬ送信を行う時に無線デバイスによって回避されるべきである１つまたは複数のサブフレームは、ネットワークノードが発見参照信号を送信するために使用するサブフレーム、および、ネットワークノードが発見参照信号を送信するために使用するサブフレームの直前のサブフレームのうちの１つまたは複数を含んでよい。自律ＵＬ送信を行う時に無線デバイスによって回避されるべきである１つまたは複数のサブフレームは、ネットワークノードが発見参照信号を送信するために使用するサブフレーム、および、ネットワークノードが発見参照信号を送信するために使用するサブフレームの直前のサブフレームのうちの１つまたは複数を含んでよい。自律ＵＬ送信を行う時に無線デバイスによって回避されるべきである１つまたは複数のサブフレームは、発見参照信号測定タイミング設定ウィンドウ内の全てのサブフレーム、発見参照信号測定タイミング設定ウィンドウ直前のサブフレーム、ならびに、無線デバイスが発見参照信号を受信するまでの、発見参照信号測定タイミング設定ウィンドウ内のサブフレーム、および発見参照信号測定タイミング設定ウィンドウ直前のサブフレームのうちの１つまたは複数を含んでよい。自律ＵＬ送信を行う時に無線デバイスによって回避されるべきである１つまたは複数のサブフレームは、測定ギャップとして設定される１つまたは複数のサブフレームを含んでよい。自律ＵＬ送信を行う時に無線デバイスによって回避されるべきである１つまたは複数のサブフレームは、無線デバイスにリソースを割り当てるために２ステージグラントがネットワークノードによって使用される時に第１のトリガおよび第２のトリガの受信の間の１つまたは複数のサブフレームを含んでよい。
【０１３２】
ステップ１１０８では、ネットワークノードは、無線デバイスが、信号送信設定に関連している判断された情報に従って自律ＵＬ送信を行うように設定する。ある特定の実施形態では、無線デバイスが、信号送信設定に関連している判断された情報に従って自律ＵＬ送信を行うように設定することは、信号送信設定に関連している判断された情報を無線デバイスに送ることを含んでよい。
【０１３３】
ある特定の実施形態では、無線デバイスが、信号送信設定に関連している判断された情報に従って自律ＵＬ送信を行うように設定することは、無線デバイスによる自律ＵＬ送信に適用可能なサブフレームパターンの指示を送ることを含んでよい。サブフレームパターンの指示はビットマップであってよい。
【０１３４】
ある特定の実施形態では、無線デバイスによる自律ＵＬ送信に対する信号送信設定に関連している情報は、次の許可送信期間の前に無線デバイスによって使用される検知継続時間の長さを判断するためのオフセット値、および循環周期性のうちの１つまたは複数を含んでよい。方法は、共通物理ダウンリンク制御チャネルおよび上位層シグナリングのうちの１つまたは複数によって、オフセット値および循環周期性のうちの少なくとも１つを無線デバイスに送ることを含んでよい。ある特定の実施形態では、オフセット値は、自律ＵＬ送信を行うための無線デバイスの優先レベルに対応する。
【０１３５】
ある特定の実施形態では、方法は、１つまたは複数の基準に基づいて、無線デバイスが自律ＵＬ送信を非アクティブ化し、かつスケジュールベースアクセスに切り換えるべきであることを判断することを含んでよい。１つまたは複数の基準は、ネットワークノードにおけるバッファステータス、トラフィックタイプ、バッファ増強、チャネルの清浄度、空ではないＵＬバッファを有するＵＥの数、１つまたは複数の無線デバイスに対するＮＡＣＫ対ＡＣＫの比率、および複数の無線デバイスがチャネルに同時にアクセスしようとする場合のチャネルに対する衝突数のうちの１つまたは複数を含んでよい。方法は、無線デバイスが自律ＵＬ送信を非アクティブ化するべきであることの指示を無線デバイスに送ることを含んでよい。
【０１３６】
ある特定の実施形態では、方法は、無線デバイスがスケジュールベースアクセスから自律ＵＬ送信に切り換えるべきであることを判断することと、無線デバイスが自律ＵＬ送信をアクティブ化するべきであることの指示を無線デバイスに送ることとを含んでよい。
【０１３７】
ある特定の実施形態では、無線デバイスが自律ＵＬ送信を非アクティブ化するべきであることの指示、および無線デバイスが自律ＵＬ送信をアクティブ化するべきであることの指示のうちの１つまたは複数は、ブロードキャストタイプの制御シグナリング、および専用制御シグナリングのうちの１つまたは複数を使用して送られてよい。
【０１３８】
図１２は、ある特定の実施形態による、例示の無線デバイスのブロック図である。無線デバイス１１０は、セルラーまたはモバイル通信システムにおいてノードおよび／または別の無線デバイスと通信する任意のタイプの無線デバイスに言及することができる。無線デバイス１１０の例には、携帯電話、スマートフォン、ＰＤＡ（携帯情報端末）、ポータブルコンピュータ（例えば、ラップトップ、タブレット）、センサ、モデム、マシン型通信（ＭＴＣ）デバイス／マシンツーマシン（Ｍ２Ｍ）デバイス、ラップトップ埋め込み機器（ＬＥＥ）、ラップトップ搭載機器（ＬＭＥ）、ＵＳＢドングル、Ｄ２Ｄ対応デバイス、または、無線通信を提供することができる別のデバイスが挙げられる。無線デバイス１１０はまた、いくつかの実施形態では、ＵＥ、ステーション（ＳＴＡ）、デバイス、または端末と称される場合がある。無線デバイス１１０は、トランシーバ１２１０、プロセッサ１２２０、およびメモリ１２３０を含む。いくつかの実施形態では、トランシーバ１２１０は、（例えば、アンテナ１２４０を介して）ネットワークノード１１５に対して、無線信号を送信することおよび無線信号を受信することを容易にし、プロセッサ１２２０は、無線デバイス１１０によって提供されるような、上述される機能性の一部または全てを提供するための命令を実行し、メモリ１２３０は、プロセッサ１２２０によって実行される命令を記憶する。
【０１３９】
プロセッサ１２２０は、図１〜図１１に関して上述される無線デバイス１１０の機能といった、無線デバイス１１０の説明した機能の一部または全てを行うように命令を実行しかつデータを操作するための１つまたは複数のモジュールにおいて実装されるハードウェアおよびソフトウェアの任意の適した組み合わせを含んでよい。いくつかの実施形態では、プロセッサ１２２０は、例えば、１つまたは複数のコンピュータ、１つまたは複数の中央処理装置（ＣＰＵ）、１つまたは複数のマイクロプロセッサ、１つまたは複数のアプリケーション、１つまたは複数の特定用途向け集積回路（ＡＳＩＣ）、１つまたは複数のフィールドプログラマブルゲートアレイ（ＦＰＧＡ）、および／または他の論理を含んでよい。
【０１４０】
メモリ１２３０は、一般的に、コンピュータプログラム、ソフトウェア、論理、規則、アルゴリズム、コード、テーブルなどのうちの１つまたは複数を含むアプリケーション、および／またはプロセッサによって実行可能である他の命令などの命令を記憶するように動作可能である。メモリ１２３０の例には、コンピュータメモリ（例えば、ランダムアクセスメモリ（ＲＡＭ）または読み出し専用メモリ（ＲＯＭ））、大容量記憶媒体（例えば、ハードディスク）、取り外し可能記憶媒体（例えば、コンパクトディスク（ＣＤ）またはデジタルビデオディスク（ＤＶＤ））、ならびに／または、プロセッサ１２２０によって使用可能である情報、データ、および／または命令を記憶する任意の他の揮発性もしくは不揮発性、非一時的なコンピュータ可読および／もしくはコンピュータ実行可能メモリデバイスが挙げられる。
【０１４１】
ワイヤレスデバイス１１０の他の実施形態は、図１２に示されるもの以外に、上述される機能性および／または（上述される解決策をサポートするために必要な任意の機能性を含む）任意の追加の機能性のいずれかを含む、無線デバイスの機能性のある特定の態様を提供することを担う場合がある、追加のコンポーネントを含んでよい。単なる１つの例として、無線デバイス１１０は、プロセッサ１２２０の一部であってよい、入力デバイスおよび回路、出力デバイス、ならびに１つまたは複数の同期ユニットもしくは回路を含んでよい。入力デバイスは無線デバイス１１０へのデータの入力のための機構を含む。例えば、入力デバイスは、マイクロフォン、入力エレメント、ディスプレイなどの入力機構を含んでよい。出力デバイスは、オーディオ、ビデオ、および／またはハードコピーフォーマットにおけるデータを出力するための機構を含んでよい。例えば、出力デバイスは、スピーカ、ディスプレイなどを含んでよい。
【０１４２】
図１３は、ある特定の実施形態による、例示のネットワークノードのブロック図である。ネットワークノード１１５は、ＵＥ、および／または別のネットワークノードと通信する任意のタイプの無線ネットワークノードまたは任意のネットワークノードであってよい。ネットワークノード１１５の例には、ｅＮｏｄｅＢ、ノードＢ、基地局（ＢＳ）、無線アクセスポイント（例えば、Ｗｉ−Ｆｉアクセスポイント）、低電力ノード、ベーストランシーバ基地局（ＢＴＳ）、中継器、ドナーノード制御中継器、送信ポイント、送信ノード、リモートＲＦユニット（ＲＲＵ）、リモート無線ヘッド（ＲＲＨ）、マルチスタンダード無線（ＭＳＲ）ＢＳなどのＭＳＲの無線ノード、分散アンテナシステム（ＤＡＳ）におけるノード、Ｏ＆Ｍ、ＯＳＳ、ＳＯＮ、位置決めノード（例えば、Ｅ−ＳＭＬＣ）、ＭＤＴ、または任意の他の適したネットワークノードが挙げられる。ネットワークノード１１５は、ホモジニアス配置、ヘテロジニアス配置、または混合配置として、ネットワーク１００全体を通して配置されてよい。ホモジニアス配置は、一般的に、同じ（または同様の）タイプのネットワークノード１１５および／または同様のカバレッジ、ならびに、セルサイズおよびサイト間距離で構成されている配置について説明可能である。ヘテロジニアス配置は、一般的に、種々のセルサイズ、送信電力、容量、およびサイト間距離を有するさまざまなタイプのネットワークノード１１５を使用する配置について説明可能である。例えば、ヘテロジニアス配置は、マクロセルレイアウト全体を通して設置される複数の低電力ノードを含むことができる。混合配置は、ホモジニアス部分およびヘテロジニアス部分の混合を含むことができる。
【０１４３】
ネットワークノード１１５は、トランシーバ１３１０、プロセッサ１３２０、メモリ１３３０、およびネットワークインターフェース１３４０の１つまたは複数を含んでよい。いくつかの実施形態では、トランシーバ１３１０は、（例えばアンテナ１３５０を介して）無線デバイス１１０に対する無線信号の送信および無線信号の受信を容易にし、プロセッサ１３２０は、ネットワークノード１１５によって提供されるような上述される機能性の一部または全てを提供するための命令を実行し、メモリ１３３０は、プロセッサ１３２０によって実行される命令を記憶し、ネットワークインターフェース１３４０は、ゲートウェイ、スイッチ、ルータ、インターネット、公衆交換電話網（ＰＳＴＮ）、コアネットワークノード、または無線ネットワークコントローラ１３０といった、バックエンドネットワークコンポーネントに対して信号を通信する。
【０１４４】
プロセッサ１３２０は、上記の図１〜図１１に関して上述されるものといった、ネットワークノード１１５の説明した機能の一部または全てを行うように、命令を実行しかつデータを操作するために、１つまたは複数のモジュールに実装されるハードウェアおよびソフトウェアの任意の適した組み合わせを含むことができる。いくつかの実施形態では、プロセッサ１３２０は、例えば、１つまたは複数のコンピュータ、１つまたは複数のＣＰＵ、１つまたは複数のマイクロプロセッサ、１つまたは複数のアプリケーション、１つまたは複数のＡＳＩＣ、１つまたは複数のＦＰＧＡ、および／または他の論理を含むことができる。
【０１４５】
メモリ１３３０は、一般的に、コンピュータプログラム、ソフトウェア、論理、規則、アルゴリズム、コード、テーブルなどのうちの１つまたは複数を含むアプリケーション、および／または、プロセッサによって実行可能である他の命令などの命令を記憶するように動作可能である。メモリ１３３０の例には、コンピュータメモリ（例えば、ＲＡＭまたはＲＯＭ）、大容量記憶媒体（例えば、ハードディスク）、取り外し可能記憶媒体（例えば、ＣＤまたはＤＶＤ）、ならびに／または、情報を記憶する任意の他の揮発性もしくは不揮発性、非一時的なコンピュータ可読および／もしくはコンピュータ実行可能メモリデバイスが挙げられる。
【０１４６】
いくつかの実施形態では、ネットワークインターフェース１３４０は、プロセッサ１３２０に通信可能に結合され、ネットワークノード１１５に対する入力を受信する、ネットワークノード１１５からの出力を送る、入力、出力、またはこの両方の適した処理を行う、他のデバイスに通信する、または、前述の任意の組み合わせを行うように動作可能である任意の適したデバイスに言及することができる。ネットワークインターフェース１３４０は、適切なハードウェア（例えば、ポート、モデム、ネットワークインターフェースカードなど）、および、ネットワークを通して通信するための、プロトコル変換およびデータ処理能力を含むソフトウェアを含むことができる。
【０１４７】
ネットワークノード１１５の他の実施形態は、図１３に示されるもの以外に、上述される機能性および／または（上述される解決策をサポートするために必要な任意の機能性を含む）任意の追加の機能性のいずれかを含む、無線ネットワークノードの機能性のある特定の態様を提供することを担う場合がある、追加のコンポーネントを含むことができる。さまざまな種々のタイプのネットワークノードは、同じ物理ハードウェアを有するが、種々の無線アクセス技術をサポートするように（例えばプログラミングによって）設定されるコンポーネントを含むことができる、または、異なる物理コンポーネントを部分的にまたは完全に表すことができる。
【０１４８】
図１４は、ある特定の実施形態による、例示の無線ネットワークコントローラまたはコアネットワークノード１３０のブロック図である。ネットワークノードの例として、移動交換局（ＭＳＣ）、サービングＧＰＲＳサポートノード（ＳＧＳＮ）、モビリティ管理エンティティ（ＭＭＥ）、無線ネットワークコントローラ（ＲＮＣ）、および基地局コントローラ（ＢＳＣ）などを挙げることができる。無線ネットワークコントローラまたはコアネットワークノード１３０は、プロセッサ１４２０、メモリ１４３０、およびネットワークインターフェース１４４０を含む。いくつかの実施形態では、プロセッサ１４２０は、ネットワークノードによって提供されるような、上述される機能性の一部または全てを提供するための命令を実行し、メモリ１４３０は、プロセッサ１４２０によって実行される命令を記憶し、ネットワークインターフェース１４４０は、ゲートウェイ、スイッチ、ルータ、インターネット、公衆交換電話網（ＰＳＴＮ）、ネットワークノード１１５、無線ネットワークコントローラ、またはコアネットワークノード１３０といった、任意の適したノードに信号を通信する。
【０１４９】
プロセッサ１４２０は、無線ネットワークコントローラまたはコアネットワークノード１３０の説明した機能の一部または全てを行うように命令を実行しかつデータを操作するために１つまたは複数のモジュールに実装されるハードウェアおよびソフトウェアの任意の適した組み合わせを含むことができる。いくつかの実施形態では、プロセッサ１４２０は、例えば、１つまたは複数のコンピュータ、１つまたは複数のＣＰＵ、１つまたは複数のマイクロプロセッサ、１つまたは複数のアプリケーション、１つまたは複数のＡＳＩＣ、１つまたは複数のＦＰＧＡ、および／または他の論理を含むことができる。
【０１５０】
メモリ１４３０は、一般的に、コンピュータプログラム、ソフトウェア、論理、規則、アルゴリズム、コード、テーブルなどのうちの１つまたは複数を含むアプリケーション、および／または、プロセッサによって実行可能である他の命令などの命令を記憶するように動作可能である。メモリ１４３０の例には、コンピュータメモリ（例えば、ＲＡＭまたはＲＯＭ）、大容量記憶媒体（例えば、ハードディスク）、取り外し可能記憶媒体（例えば、ＣＤまたはＤＶＤ）、ならびに／または、情報を記憶する任意の他の揮発性もしくは不揮発性、非一時的なコンピュータ可読および／もしくはコンピュータ実行可能メモリデバイスが挙げられる。
【０１５１】
いくつかの実施形態では、ネットワークインターフェース１４４０は、プロセッサ１４２０に通信可能に結合され、かつ、ネットワークノードに対する入力を受信する、ネットワークノードからの出力を送る、入力、出力、またはこの両方の適した処理を行う、他のデバイスに通信する、または、前述の任意の組み合わせを行うように動作可能である任意の適したデバイスに言及することができる。ネットワークインターフェース１４４０は、ネットワークを通して通信するための、プロトコル変換およびデータ処理能力を含む、適切なハードウェア（例えば、ポート、モデム、ネットワークインターフェースカードなど）およびソフトウェアを含むことができる。
【０１５２】
ネットワークノードの他の実施形態は、図１４に示されるもの以外に、上述される機能性および／または（上述される解決策をサポートするために必要な任意の機能性を含む）任意の追加の機能性のいずれかを含む、ネットワークノードの機能性のある特定の態様を提供することを担う場合がある、追加のコンポーネントを含むことができる。
【０１５３】
図１５は、ある特定の実施形態による、例示の無線デバイスのブロック図である。無線デバイス１１０は１つまたは複数のモジュールを含んでよい。例えば、無線デバイス１１０は、判断モジュール１５１０、通信モジュール１５２０、受信モジュール１５３０、入力モジュール１５４０、ディスプレイモジュール１５５０、および任意の他の適したモジュールを含むことができる。いくつかの実施形態では、判断モジュール１５１０、通信モジュール１５２０、受信モジュール１５３０、入力モジュール１５４０、ディスプレイモジュール１５５０、および任意の他の適したモジュールのうちの１つまたは複数は、図１２に関して上述されるプロセッサ１２２０といった１つまたは複数のプロセッサを使用して実装されてよい。無線デバイス１１０は、図１〜図１１に関して上述される自律送信システムに対する衝突回避適応のための方法を行うことができる。
【０１５４】
判断モジュール１５１０は、無線デバイス１１０の処理機能を行うことができる。例えば、判断モジュール１５１０は、無線デバイスによる自律ＵＬ送信に対する信号送信設定に関連している情報を取得することができる。ある特定の実施形態では、判断モジュール１５１０は、信号送信設定に関連している情報を自律的に判断することによって、無線デバイス１１０による自律ＵＬ送信に対する信号送信設定に関連している情報を取得することができる。判断モジュール１５１０は、図１２に関して上述されるプロセッサ１２２０といった１つまたは複数のプロセッサを含んでよい、またはこれに含まれてよい。判断モジュール１５１０は、上述される、判断モジュール１５１０および／またはプロセッサ１２２０の機能のいずれかを行うように設定されるアナログおよび／またはデジタル回路構成を含んでよい。上述される判断モジュール１５１０の機能は、ある特定の実施形態では、１つまたは複数の別個のモジュールで行われてよい。
【０１５５】
通信モジュール１５２０は無線デバイス１１０の送信機能を行うことができる。例えば、通信モジュール１５２０は、信号送信設定に関連している取得された情報に従って自律ＵＬ送信を行うことができる。ある特定の実施形態では、通信モジュール１５２０は、１つまたは複数の特定的なサブフレームを回避しながら自律ＵＬ送信を行うことができる。通信モジュール１５２０は、ネットワーク１００のネットワークノード１１５の１つまたは複数にメッセージを送信することができる。通信モジュール１５２０は、図１２に関して上述されるトランシーバ１２１０といった、送信機および／またはトランシーバを含んでよい。通信モジュール１５２０はメッセージおよび／または信号を無線で送信するように設定される回路構成を含んでよい。特定の実施形態では、通信モジュール１５２０は、判断モジュール１５１０からの送信のためのメッセージおよび／または信号を受信することができる。ある特定の実施形態では、上述される通信モジュール１５２０の機能は、１つまたは複数の別個のモジュールにおいて行われてよい。
【０１５６】
受信モジュール１５３０は無線デバイス１１０の受信機能を行ってよい。１つの例として、受信モジュール１５３０は、無線デバイス１１０による自律ＵＬ送信に対する信号送信設定に関連している情報を取得することができる。場合によって、受信モジュール１５３０は、信号送信設定に関連している情報をネットワークノードから受信することによって、自律ＵＬ送信に対する信号送信設定に関連している情報を取得することができる。別の例として、受信モジュール１５３０は、無線デバイス１１０による自律アップリンク送信に適用可能なサブフレームパターンの指示を受信することができる。さらに別の例として、受信モジュール１５３０は、共通物理ダウンリンク制御チャネルおよび上位層シグナリングのうちの１つまたは複数によって、オフセット値および循環周期性のうちの少なくとも１つを受信することができる。別の例として、受信モジュール１５３０は、無線デバイス１１０が自律ＵＬ送信を非アクティブ化するべきであることの指示を受信することができる。別の例として、受信モジュール１５３０は、半永続スケジュール非アクティブ化コマンドおよび新しい半永続スケジューリンググラントのうちの１つを受信してよい。別の例として、受信モジュール１５３０は、無線デバイス１１０が自律ＵＬアクティビティをアクティブ化するべきであることの指示を受信してよい。
【０１５７】
受信モジュール１５３０は、図１２に関して上述されるトランシーバ１２１０といった、受信機および／またはトランシーバを含んでよい。受信モジュール１５３０は、メッセージおよび／または信号を無線で受信するように設定される回路構成を含んでよい。特定の実施形態では、受信モジュール１５３０は、受信したメッセージおよび／または信号を判断モジュール１５１０に通信することができる。上述される受信モジュール１５３０の機能は、ある特定の実施形態では、１つまたは複数の別個のモジュールにおいて行われてよい。
【０１５８】
入力モジュール１５４０は無線デバイス１１０を対象としたユーザ入力を受信してよい。例えば、入力モジュールは、キー押し、ボタン押し、タッチ、スワイプ、オーディオ信号、ビデオ信号、および／または任意の他の適切な信号を受信することができる。入力モジュールは、１つまたは複数のキー、ボタン、レバー、スイッチ、タッチスクリーン、マイクロフォン、および／またはカメラを含んでよい。入力モジュールは受信した信号を判断モジュール１５１０に通信することができる。
【０１５９】
ディスプレイモジュール１５５０は、無線デバイス１１０のディスプレイ上に信号を提示してよい。ディスプレイモジュール１５５０は、ディスプレイおよび／または任意の適した回路構成、ならびにディスプレイ上に信号を提示するように設定されるハードウェアを含んでよい。ディスプレイモジュール１５５０は、ディスプレイ上に提示するための信号を判断モジュール１５１０から受信してよい。
【０１６０】
判断モジュール１５１０、通信モジュール１５２０、受信モジュール１５３０、入力モジュール１５４０、およびディスプレイモジュール１５５０は、ハードウェアおよび／またはソフトウェアの任意の適した設定を含んでよい。無線デバイス１１０は、図１５に示されるもの以外に、上述される機能性および／または（本明細書に説明されるさまざまな解決策をサポートするために必要な任意の機能性を含む）任意の追加の機能性のいずれかを含む、任意の適した機能性を提供することを担う場合がある、追加のモジュールを含んでよい。
【０１６１】
図１６は、ある特定の実施形態による、例示のネットワークノード１１５のブロック図である。ネットワークノード１１５は１つまたは複数のモジュールを含んでよい。例えば、ネットワークノード１１５は、判断モジュール１６１０、通信モジュール１６２０、受信モジュール１６３０、および任意の他の適したモジュールを含んでよい。いくつかの実施形態では、判断モジュール１６１０、通信モジュール１６２０、受信モジュール１６３０、および任意の他の適したモジュールの１つまたは複数は、図１３との関連で上述されるプロセッサ１３２０といった１つまたは複数のプロセッサを使用して実装されてよい。ある特定の実施形態では、２つの以上のさまざまなモジュールの機能は単一のモジュールに組み合わせられてよい。ネットワークノード１１５は、図１〜図１１に関して上述される自律送信システムに対する衝突回避適応のための方法を行ってよい。
【０１６２】
判断モジュール１６１０はネットワークノード１１５の処理機能を行ってよい。例えば、判断モジュール１６１０は、無線デバイスによる自律ＵＬ送信に対する信号送信設定に関連している情報を判断することができる。別の例として、判断モジュール１６１０は、無線デバイスが、信号送信設定に関連している判断された情報に従って自律ＵＬ送信を行うように設定してよい。別の例として、判断モジュール１６１０は、１つまたは複数の基準に基づいて、無線デバイスが自律ＵＬ送信を非アクティブ化し、かつスケジュールベースアクセスに切り換えるべきであることを判断してよい。さらに別の例として、判断モジュール１６１０は、無線デバイスがスケジュールベースアクセスから自律ＵＬ送信に切り換えるべきであることを判断することができる。
【０１６３】
別の例として、判断モジュール１６１０はネットワーク負荷を判断してよい。なお別の例として、判断モジュール１６１０は、無線デバイスがＵＬバッファにおけるデータを有するかどうかを判断してよい。さらに別の例として、判断モジュール１６１０は、１つまたは複数の無線デバイスのうちの特定の１つに対して自律ＵＬ送信を一時停止するかどうかを判断することができる。別の例として、判断モジュール１６１０は、１つまたは複数の無線デバイスからのＤＭＲＳ送信を検出することと、複数のＤＭＲＳ送信が検出されるリソースの割合が閾値を超えるかどうかを判断することと、１つまたは複数の無線デバイスに対する自律ＵＬ送信を一時停止すること、自律ＵＬ送信に利用可能なリソースの数を低減すること、および１つまたは複数の無線デバイスのいくつかをスケジュールされたＵＬアクセスにシフトすることのうちの１つまたは複数を行うこととによって、１つまたは複数の無線デバイスがチャネルに同時にアクセスしようとしている場合のチャネルに対する衝突をモニタリングすることができる。なお別の例として、判断モジュール１６１０は、ネットワークノードが特定の無線デバイスからのＵＬ送信を最後に受信してからの時間分が閾値を超えるかどうかを判断することができる。この時間分が閾値を超えることを判断すると、判断モジュール１６１０は、他の無線デバイスに対して同じリソースをオーバーブッキングせずに特定の無線デバイスに対して１つまたは複数のリソースを確保すること、および、特定の無線デバイスに対してＳＰＳリソースを解放することのうちの１つまたは複数を行ってよい。別の例として、判断モジュール１６１０は、衝突が生じるＵＬリソースの割合をモニタリングしてよい。さらに別の例として、判断モジュール１６１０は、ＵＬにおいてスケジュールベースアクセスを使用するように設定される１つまたは複数の無線デバイスが不定期アクセスに切り換えられるべきであることを判断することができる。
【０１６４】
判断モジュール１６１０は、図１３との関連で上述されるプロセッサ１３２０といった１つまたは複数のプロセッサを含んでよい、または該プロセッサに含まれてよい。判断モジュール１６１０は、上述される、判断モジュール１６１０および／またはプロセッサ１３２０の機能のいずれかを行うように設定されるアナログおよび／またはデジタル回路構成を含んでよい。判断モジュール１６１０の機能は、ある特定の実施形態では、１つまたは複数の別個のモジュールで行われてよい。
【０１６５】
通信モジュール１６２０はネットワークノード１１５の送信機能を行うことができる。１つの例として、通信モジュール１６２０は、信号送信設定に関連している判断された情報を無線デバイスに送ることができる。別の例として、通信モジュール１６２０は、無線デバイスによる自律ＵＬ送信に適用可能なサブフレームパターンの指示を送ることができる。さらに別の例として、通信モジュール１６２０は、共通物理ダウンリンク制御チャネルおよび上位層シグナリングのうちの１つまたは複数によって、オフセット値および循環周期性のうちの少なくとも１つを無線デバイスに送ってよい。別の例として、通信モジュール１６２０は、無線デバイスが自律ＵＬ送信を非アクティブ化するべきであることの指示を無線デバイスに送ってよい。別の例として、通信モジュール１６２０は、無線デバイスが自律ＵＬ送信をアクティブ化するべきであることの指示を無線デバイスに送ってよい。別の例として、通信モジュール１６２０は、１つまたは複数の無線デバイスが自律ＵＬ送信を一時停止するべきであることの指示を１つまたは複数のＵＥに送ってよい。さらに別の例として、通信モジュール１６２０は、半永続スケジューリング非アクティブ化コマンドおよび新しい半永続スケジューリンググラントのうちの１つを送ってよい。
【０１６６】
通信モジュール１６２０は無線デバイス１１０の１つまたは複数にメッセージを送信してよい。通信モジュール１６２０は、図１３との関連で上述されるトランシーバ１３１０といった、送信機および／またはトランシーバを含んでよい。通信モジュール１６２０はメッセージおよび／または信号を無線で送信するように設定される回路構成を含んでよい。特定の実施形態では、通信モジュール１６２０は、判断モジュール１６１０または任意の他のモジュールからの送信のためのメッセージおよび／または信号を受信することができる。通信モジュール１６２０の機能は、ある特定の実施形態では、１つまたは複数の別個のモジュールにおいて行われてよい。
【０１６７】
受信モジュール１６３０はネットワークノード１１５の受信機能を行ってよい。例えば、受信モジュール１６３０は、１つまたは複数の無線デバイスにアサインされた半永続スケジューリングリソースについてのフィードバックを１つまたは複数の無線デバイスから受信してよい。別の例として、受信モジュール１６３０は、ネットワークノードが自律ＵＬ送信を一時停止することを要求する要求を１つまたは複数の無線デバイスのうちの特定のものから受信してよい。受信モジュール１６３０は無線デバイスから任意の適した情報を受信してよい。受信モジュール１６３０は、図１３との関連で上述されるトランシーバ１３１０といった、受信機および／またはトランシーバを含んでよい。受信モジュール１６３０はメッセージおよび／または信号を無線で受信するように設定される回路構成を含んでよい。特定の実施形態では、受信モジュール１６３０は、判断モジュール１６１０または任意の他の適したモジュールに受信したメッセージおよび／または信号を通信することができる。受信モジュール１６３０の機能は、ある特定の実施形態では、１つまたは複数の別個のモジュールにおいて行われてよい。
【０１６８】
判断モジュール１６１０、通信モジュール１６２０、および受信モジュール１６３０は、ハードウェアおよび／またはソフトウェアの任意の適した設定を含んでよい。ネットワークノード１１５は、図１６に示されるもの以外に、上述される機能性および／または（本明細書に説明されるさまざまな解決策をサポートするために必要な任意の機能性を含む）任意の追加の機能性のいずれかを含む、任意の適した機能性を提供することを担う場合がある、追加のモジュールを含んでよい。
【０１６９】
本開示の範囲から逸脱することなく、本明細書に説明されるシステムおよび装置に対して、修正、追加、または省略が行われてよい。システムおよび装置のコンポーネントは、一体化または分離可能である。また、システムおよび装置の動作は、より多くの、より少ない、または他のコンポーネントによって行われてよい。さらに、システムおよび装置の動作は、ソフトウェア、ハードウェア、および／または他の論理を含む任意の適した論理を使用して行われてよい。本明細書において使用されるように、「それぞれの」は、あるセットのそれぞれのメンバ、またはあるセットのあるサブセットのそれぞれのメンバに言及する。
【０１７０】
本開示の範囲から逸脱することなく、本明細書に説明される方法に対して、修正、追加、または省略が行われてよい。該方法は、より多くの、より少ない、または他のステップを含むことができる。さらに、ステップは任意の適した順序で行われてよい。
【０１７１】
本開示はある特定の実施形態に関して説明されているが、当業者には、実施形態の代替および置換が明らかとなろう。それ故に、実施形態の上記説明は本開示を制約しない。本開示の趣旨および範囲から逸脱することなく、以下の特許請求の範囲によって規定されるように、他の変更、代入、および代替が可能である。
【０１７２】
前述の記載に使用される略語は、以下を含む。
３ＧＰＰ  第３世代パートナーシッププロジェクト
ＡＣＫ  肯定応答
ＡＰ  アクセスポイント
ＡＳＩＣ  特定用途向け集積回路
ＢＯ  バックオフ
ＢＳ  基地局
ＢＳＣ  基地局コントローラ
ＢＳＲ  バッファステータス報告
ＢＴＳ  ベーストランシーバ基地局
ＣＡ  キャリアアグリゲーション
ＣＣＡ  クリアチャネル評価
ＣＤ  コンパクトディスク
ＣＥ  制御エレメント
ＣＦＩ  制御フォーマットインジケータ
ＣＰＤＣＣＨ  共通物理ダウンリンク制御チャネル
ＣＰＥ  無線加入者宅内機器
ＣＰＵ  中央処理装置
ＣＲＣ  巡回冗長検査
Ｃ−ＲＮＴＩ  セル無線ネットワーク一時識別子
ＣＲＳ  セル固有参照シンボル
ＣＳＩ−ＲＳ  チャネル状態情報参照信号
ＣＳＭＡ／ＣＡ  衝突回避のあるキャリア検知多重アクセス
Ｄ２Ｄ  デバイスツーデバイス
ＤＡＳ  分散アンテナシステム
ＤＣＩ  ダウンリンク制御情報
ＤＩＦＳ  分散フレーム間スペース
ＤＬ  ダウンリンク
ＤＭＲＳ  復調参照信号
ＤＭＴＣ  ＤＲＳ測定時間設定
ＤＲＳ  発見参照信号
ＤＶＤ  デジタルビデオディスク
ｅＮＢ  エボルブドＮｏｄｅ  Ｂ
ＥＰＤＣＣＨ  拡張物理ダウンリンク制御チャネル
Ｅ−ＳＭＬＣ  エボルブドサービングモバイルロケーションセンタ
ＥＴＳＩ  ヨーロッパ電気通信標準協会
Ｅ−ＵＴＲＡＮ  拡張ユニバーサル地上無線アクセスネットワーク
ＦＰＧＡ  フィールドプログラマブルゲートアレイ
ＩｏＴ  モノのインターネット
ＩＰ  インターネットプロトコル
ＩＵＡ  瞬間アップリンクアクセス
ＬＡＡ  Ｌｉｃｅｎｓｅｄ−Ａｓｓｉｓｔｅｄ  Ａｃｃｅｓｓ
ＬＡＮ  ローカルエリアネットワーク
ＬＢＴ  Ｌｉｓｔｅｎ−Ｂｅｆｏｒｅ−Ｔａｌｋ
ＬＥＥ  ラップトップ埋め込み機器
ＬＭＥ  ラップトップ搭載機器
ＬＴＥ  Ｌｏｎｇ−Ｔｅｒｍ  Ｅｖｏｌｕｔｉｏｎ
Ｍ２Ｍ  マシンツーマシン
ＭＡＣ  媒体アクセス制御
ＭＡＮ  メトロポリタンエリアネットワーク
ＭＣＥ  マルチセル／マルチキャスト連携エンティティ
ＭＣＳ  変調符号化方式
ＭＤＴ  走行試験の最小化
ＭＭＥ  モビリティ管理エンティティ
ＭＳＣ  移動交換局
ＭＳＲ  マルチスタンダード無線
ＭＴＣ  マシン型通信
ＮＡＣＫ  否定応答
ＮＡＳ  非アクセス層
ＮＢ−ＩｏＴ  狭帯域のモノのインターネット
ＮＲ  新しい無線
Ｏ＆Ｍ  運用管理
ＯＦＤＭ  直交周波数分割多重
ＯＳＳ  運用支援システム
ＰＣｅｌｌ  プライマリセル
ＰＤＣＣＨ  物理ダウンリンク制御チャネル
ＰＳＳ  プライマリ同期信号
ＰＳＴＮ  公衆交換電話網
ＰＵＣＣＨ  物理アップリンク制御チャネル
ＰＵＳＣＨ  物理アップリンク共有チャネル
ＲＡ  ランダムアクセス
ＲＡＭ  ランダムアクセスメモリ
ＲＡＮ  無線アクセスネットワーク
ＲＡＴ  無線アクセス技術
ＲＮＣ  無線ネットワークコントローラ
ＲＯＭ  読み出し専用メモリ
ＲＲＣ  無線リソース制御
ＲＲＨ  リモート無線ヘッド
ＲＲＭ  無線リソース管理
ＲＲＵ  リモート無線ユニット
ＳＣｅｌｌ  セカンダリセル
ＳＣ−ＦＤＭＡ  シングルキャリア周波数分割多元接続
ＳＩＢ  セッション情報ブロック
ＳＩＮＲ  信号対干渉雑音比
ＳＯＮ  自己組織化ネットワーク
ＳＰＳ  半永続スケジューリング
ＳＲ  スケジューリング要求
ＳＲＳ  サウンディング参照信号
ＳＳＳ  セカンダリ同期信号
ＴＤＭＡ  時分割多元接続
ＴＲ  技術報告
ＴＳ  技術仕様
ＴＴＩ  送信時間間隔
ＵＥ  ユーザ機器
ＵＬ  アップリンク
ＵＰ  ユーザプレーン
ＷＡＮ  ワイドエリアネットワーク
ＷＬＡＮ  無線ローカルエリアネットワーク
【図１】
2020205605.tif 000003
【図２】
2020205605.tif 000004
【図３】
2020205605.tif 000005
【図４】
2020205605.tif 000006
【図５】
2020205605.tif 000007
【図６】
2020205605.tif 000008
【図７】
2020205605.tif 000009
【図８】
2020205605.tif 000010
【図９】
2020205605.tif 000011
【図１０】
2020205605.tif 000012
【図１１】
2020205605.tif 000013
【図１２】
2020205605.tif 000014
【図１３】
2020205605.tif 000015
【図１４】
2020205605.tif 000016
【図１５】
2020205605.tif 000017
【図１６】
2020205605.tif 000018
【手続補正書】
【提出日】令和2年9月8日(2020.9.8)
【手続補正１】
【補正対象書類名】特許請求の範囲
【補正対象項目名】全文
【補正方法】変更
【補正の内容】
【特許請求の範囲】
【請求項１】
無線デバイス（１１０）における方法であって、
前記無線デバイスによる自律アップリンク送信に対する信号送信設定に関連している情報を取得すること（１００４）であって、前記情報は、前記無線デバイスとネットワークノード（１１５）との間で確立される少なくとも１つのセル上で自律アップリンク送信を行い、かつアンライセンススペクトルにおいて動作する際に前記無線デバイスによって使用される事前割り当てリソースのセットを含む、取得することと、
前記信号送信設定に関連している取得された前記情報に従って自律アップリンク送信を行うこと（１００８）と、を含み、
前記無線デバイスによる自律アップリンク送信に対する前記信号送信設定に関連している前記情報は、自律アップリンク送信を行う時に前記無線デバイスによって回避されるべきである１つまたは複数のサブフレームについての情報をさらに含む、方法。
【請求項２】
自律アップリンク送信を行う時に前記無線デバイスによって回避されるべきである１つまたは複数のサブフレームについての前記情報は、
前記ネットワークノードが発見参照信号を送信するために使用し、かつ前記無線デバイスが回避するべきであるサブフレームの指示、および、
前記ネットワークノードが前記発見参照信号を送信するために使用し、かつ前記無線デバイスが回避するべきである前記サブフレームの直前のサブフレームの指示のうちの１つまたは複数を含む、請求項１に記載の方法。
【請求項３】
自律アップリンク送信を行う時に前記無線デバイスによって回避されるべきである１つまたは複数のサブフレームについての前記情報は、
発見参照信号測定タイミング設定ウィンドウ内であり、前記無線デバイスが回避するべきである全てのサブフレームの指示、
前記発見参照信号測定タイミング設定ウィンドウ直前であり、前記無線デバイスが回避するべきであるサブフレームの指示、ならびに、
前記無線デバイスが発見参照信号を受信するまでの、前記発見参照信号測定タイミング設定ウィンドウ内の前記サブフレーム、および、前記発見参照信号測定タイミング設定ウィンドウ直前であり、かつ無線デバイスが回避するべきである前記サブフレームの指示のうちの１つまたは複数を含む、請求項１または２に記載の方法。
【請求項４】
自律アップリンク送信を行う時に前記無線デバイスによって回避されるべきである１つまたは複数のサブフレームについての前記情報は、
測定ギャップとして設定され、かつ前記無線デバイスが回避するべきである１つまたは複数のサブフレームの指示を含む、請求項１から３のいずれか一項に記載の方法。
【請求項５】
自律アップリンク送信を行う時に前記無線デバイスによって回避されるべきである１つまたは複数のサブフレームについての前記情報は、
前記無線デバイスにリソースを割り当てるために２ステージグラントが前記ネットワークノードによって使用される時に、第１のトリガおよび第２のトリガの受信の間であり、前記無線デバイスが回避するべきである１つまたは複数のサブフレームの指示を含む、請求項１から４のいずれか一項に記載の方法。
【請求項６】
前記無線デバイスによる自律アップリンク送信に対する信号送信設定に関連している情報を取得することは、
前記無線デバイスによる自律アップリンク送信に適用可能なサブフレームパターンの指示を受信することを含む、請求項１から５のいずれか一項に記載の方法。
【請求項７】
前記サブフレームパターンの前記指示はビットマップである、請求項６に記載の方法。
【請求項８】
ネットワークノード（１１５）における方法であって、
無線デバイス（１１０）による自律アップリンク送信に対する信号送信設定に関連している情報を判断すること（１１０４）であって、前記情報は、前記ネットワークノードと前記無線デバイスとの間で確立される少なくとも１つのセル上で自律アップリンク送信を行い、かつアンライセンススペクトルにおいて動作する際に前記無線デバイスによって使用される事前割り当てリソースのセットを含む、判断することと、
前記無線デバイスを、前記信号送信設定に関連している判断された前記情報に従って自律アップリンク送信を行うように設定すること（１１０８）と、を含み、
前記無線デバイスによる自律アップリンク送信に対する前記信号送信設定に関連している前記情報は、自律アップリンク送信を行う時に前記無線デバイスによって回避されるべきである１つまたは複数のサブフレームについての情報をさらに含む、方法。
【請求項９】
自律アップリンク送信を行う時に前記無線デバイスによって回避されるべきである前記１つまたは複数のサブフレームは、
前記ネットワークノードが発見参照信号を送信するために使用するサブフレーム、および、
前記ネットワークノードが前記発見参照信号を送信するために使用する前記サブフレームの直前のサブフレームのうちの１つまたは複数を含む、請求項８に記載の方法。
【請求項１０】
自律アップリンク送信を行う時に前記無線デバイスによって回避されるべきである前記１つまたは複数のサブフレームは、
発見参照信号測定タイミング設定ウィンドウ内の全てのサブフレーム、
前記発見参照信号測定タイミング設定ウィンドウ直前のサブフレーム、ならびに、
前記無線デバイスが発見参照信号を受信するまでの、前記発見参照信号測定タイミング設定ウィンドウ内の前記サブフレーム、および前記発見参照信号測定タイミング設定ウィンドウ直前の前記サブフレームのうちの１つまたは複数を含む、請求項８または９に記載の方法。
【請求項１１】
自律アップリンク送信を行う時に前記無線デバイスによって回避されるべきである前記１つまたは複数のサブフレームは、
測定ギャップとして設定される１つまたは複数のサブフレームを含む、請求項８から１０のいずれか一項に記載の方法。
【請求項１２】
自律アップリンク送信を行う時に前記無線デバイスによって回避されるべきである前記１つまたは複数のサブフレームは、
前記無線デバイスにリソースを割り当てるために２ステージグラントが前記ネットワークノードによって使用される時に第１のトリガおよび第２のトリガの受信の間の１つまたは複数のサブフレームを含む、請求項８から１１のいずれか一項に記載の方法。
【請求項１３】
前記無線デバイスを、前記信号送信設定に関連している判断された前記情報に従って自律アップリンク送信を行うように設定することは、
前記信号送信設定に関連している前記判断された情報を前記無線デバイスに送ること（９０２）を含む、請求項８から１２のいずれか一項に記載の方法。
【請求項１４】
無線デバイス（１１０）であって、
前記無線デバイスによる自律アップリンク送信に対する信号送信設定に関連している情報であって、前記無線デバイスとネットワークノード（１１５）との間で確立される少なくとも１つのセル上で自律アップリンク送信を行い、かつアンライセンススペクトルにおいて動作する際に前記無線デバイスによって使用される事前割り当てリソースのセットを含む、情報を取得し（１００４）、
前記信号送信設定に関連している取得された前記情報に従って自律アップリンク送信を行う（１００８）ように設定される、処理回路構成（１２２０）を含み、
前記無線デバイスによる自律アップリンク送信に対する前記信号送信設定に関連している前記情報は、自律アップリンク送信を行う時に前記無線デバイスによって回避されるべきである１つまたは複数のサブフレームについての情報をさらに含む、無線デバイス。
【請求項１５】
自律アップリンク送信を行う時に前記無線デバイスによって回避されるべきである１つまたは複数のサブフレームについての前記情報は、
前記ネットワークノードが発見参照信号を送信するために使用し、かつ前記無線デバイスが回避するべきであるサブフレームの指示、および、
前記ネットワークノードが前記発見参照信号を送信するために使用し、かつ前記無線デバイスが回避するべきである前記サブフレームの直前のサブフレームの指示のうちの１つまたは複数を含む、請求項１４に記載の無線デバイス。
【請求項１６】
ネットワークノード（１１５）であって、
無線デバイス（１１０）による自律アップリンク送信に対する信号送信設定に関連している情報であって、前記ネットワークノードと前記無線デバイスとの間で確立される少なくとも１つのセル上で自律アップリンク送信を行い、かつアンライセンススペクトルにおいて動作する際に前記無線デバイスによって使用される事前割り当てリソースのセットを含む、情報を判断し（１１０４）、
前記無線デバイスを、前記信号送信設定に関連している判断された前記情報に従って自律アップリンク送信を行うように設定する（１１０８）ように設定される処理回路構成（１３２０）を含み、
前記無線デバイスによる自律アップリンク送信に対する前記信号送信設定に関連している前記情報は、自律アップリンク送信を行う時に前記無線デバイスによって回避されるべきである１つまたは複数のサブフレームについての情報をさらに含む、ネットワークノード。
【請求項１７】
自律アップリンク送信を行う時に前記無線デバイスによって回避されるべきである前記１つまたは複数のサブフレームは、
前記ネットワークノードが発見参照信号を送信するために使用するサブフレーム、および、
前記ネットワークノードが前記発見参照信号を送信するために使用する前記サブフレームの直前のサブフレームのうちの１つまたは複数を含む、請求項１６に記載のネットワークノード。
【外国語明細書】
2020205605000001.pdf